(57)【要約】【課題】表示出力すべき映像信号の形式がＨＤとＳＤとで切り換わるときの、同期信号の乱れによる画像の乱れがユーザに見えないようにする。【解決手段】ＨＤ（ＳＤ）の映像信号が再生終了する一定時間前から例えば輝度（画像の明るさ）を低下させていきながら黒色画像による非表示の状態とし（フェードアウト）、この非表示の期間において、ビデオカメラ装置１の映像信号出力の信号処理モードをＨＤ（ＳＤ）からＳＤ（ＨＤ）に切り換える。そして、次のＳＤ（ＨＤ）の映像信号の再生出力を開始させた一定時間後から、徐々に輝度を高くしていきながら通常の画像表示の状態に戻していく（フェードイン）ようにする。かかる表示結果となるようにして外部出力用映像信号を生成する。【選択図】図６
2008131568.tif 000002
【特許請求の範囲】
【請求項１】
複数の異なる形式の映像信号を、所定の映像信号出力規格により出力させる映像信号出力手段と、
上記映像信号出力手段により出力させている所定の第１の形式の映像信号による映像コンテンツの画像について、通常表示の状態から視覚的に認識できなくなる非表示の状態に遷移していく変化が与えられるようにして、上記映像信号出力手段により出力されるべき映像信号である処理対象映像信号についての処理を実行するフェードアウト処理手段と、
上記フェードアウト処理手段により得られた上記非表示の状態が継続されるようにして、上記処理対象映像信号についての処理を実行する非表示化処理手段と、
上記非表示化処理手段による非表示の状態が継続されている期間内において、上記映像信号出力手段について、上記第１の形式の映像信号を出力させる動作から、第１の形式とは異なる第２の形式の映像信号を出力させる動作に切り換えさせる、動作切換制御手段と、
上記動作切換制御手段により上記映像信号出力手段から第２の形式の映像信号を出力させる動作に切り換えられた後において、この第２の形式の映像信号による映像コンテンツの画像について、上記非表示の状態から、上記通常表示の状態に遷移していく変化が与えられるようにして、上記処理対象映像信号についての処理を実行するフェードイン処理手段と、
を備えることを特徴とする映像信号処理装置。
【請求項２】
上記フェードアウト処理手段は、上記処理対象映像信号の輝度レベルを、上記通常表示の状態に対応するレベルから、上記非表示の状態に対応するレベルにまで低減させていく処理を実行するようにされ、
上記非表示化処理手段は、上記非表示状態に対応する上記処理対象映像信号の輝度レベルを維持する処理を実行するようにされ、
上記フェードイン処理手段は、上記処理対象映像信号の輝度レベルを、上記非表示の状態に対応するレベルから上記通常表示の状態に対応するレベルにまで増加させていく処理を実行するようにされる、
ことを特徴とする請求項１に記載の映像信号処理装置。
【請求項３】
上記映像信号出力手段から出力される映像信号の画像上において、オンスクリーン画像が重畳して表示されるようにするための映像信号処理を実行する、オンスクリーン画像処理手段を備え、
上記フェードアウト処理手段は、上記オンスクリーン画像処理手段により重畳して表示されているオンスクリーン画像についても、通常表示の状態から非表示の状態に遷移していく変化が与えられるように映像信号処理を実行し、
上記非表示化処理手段は、上記オンスクリーン画像処理手段により重畳して表示されているオンスクリーン画像についても、上記フェードアウト処理手段により得られた上記非表示の状態が継続されるようにして映像信号処理を実行し、
上記フェードイン処理手段は、上記オンスクリーン画像処理手段により重畳して表示されているオンスクリーン画像についても、上記非表示の状態から、上記通常表示の状態に遷移していく変化が与えられるようにして映像信号処理を実行するようにされている、
ことを特徴とする請求項１に記載の映像信号処理装置。
【請求項４】
上記フェードアウト処理手段による映像信号処理の実行タイミングに基づいた所定タイミングにより、上記第１の形式の映像信号による映像コンテンツについてのフレーム画像の映像信号を取得する画像キャプチャ手段を備え、
上記フェードアウト処理手段は、上記画像キャプチャ手段により取得した映像信号のフレーム画像が表示された状態で、通常表示の状態から視覚的に認識できなくなる非表示の状態に遷移していく変化が与えられるようにして映像信号処理を実行し、
上記フェードイン処理手段は、上記画像キャプチャ手段により取得した映像信号のフレーム画像から、上記第２の形式の映像信号による映像コンテンツの画像にオーバーラップしていくようにされたうえで、上記非表示の状態から、上記通常表示の状態に遷移していく変化が与えられるようにして映像信号処理を実行する、
ことを特徴とする請求項１に記載の映像信号処理装置。
【請求項５】
複数の異なる形式の映像信号を、所定の映像信号出力規格により出力させる映像信号出力手段により出力させている所定の第１の形式の映像信号による映像コンテンツの画像について、通常表示の状態から視覚的に認識できなくなる非表示の状態に遷移していく変化が与えられるようにして、上記映像信号出力手段により出力されるべき映像信号である処理対象映像信号についての処理を実行するフェードアウト処理手順と、
上記フェードアウト処理手順により得られた上記非表示の状態が継続されるようにして、上記処理対象映像信号についての処理を実行する非表示化処理手順と、
上記非表示化処理手順による非表示の状態が継続されている期間内において、上記映像信号出力手段について、上記第１の形式の映像信号を出力させる動作から、第１の形式とは異なる第２の形式の映像信号を出力させる動作に切り換えさせる、動作切換制御手順と、
上記動作切換制御手順により上記映像信号出力手順から第２の形式の映像信号を出力させる動作に切り換えられた後において、この第２の形式の映像信号による映像コンテンツの画像について、上記非表示の状態から、上記通常表示の状態に遷移していく変化が与えられるようにして、上記処理対象映像信号についての処理を実行するフェードイン処理手順と、
を実行することを特徴とする映像信号処理方法。
【発明の詳細な説明】
【技術分野】
【０００１】
本発明は、例えば表示出力などのために出力される映像信号を対象として画像信号処理を実行する映像信号処理装置と、その方法に関する。
【背景技術】
【０００２】
テレビジョン方式の信号形式（フォーマット）として、ＳＤ(Standard Definition)とＨＤ(High Definition)の各形式が知られている。
ＳＤは、水平ライン数が５２５とされたＮＴＳＣ方式などのようにして、例えば以前から知られている標準のものである。これに対して、ＨＤ形式は、ＳＤ形式よりも高画質化を図ることなどを目的として、ＳＤ形式の後に開発、規格化されたもので、例えばＮＴＳＣ方式であれば、ＨＤ形式での水平ライン数は１０８０であるとして規定されている。
【０００３】
そして、近年においては、民生の可搬型ビデオカメラ装置にも、撮像により得られる動画像信号をＨＤ形式により記憶媒体に記録可能に構成されたものが知られるようになってきている。このようなＨＤ形式対応のビデオカメラ装置を使用することで、一般のユーザによっても高画質な撮像画像を記録して残すことが手軽にできることになる。
【０００４】
【特許文献１】特開２００５−６２２９号公報
【発明の開示】
【発明が解決しようとする課題】
【０００５】
ところで、現状においては、周囲のＡＶ機器などが未だＳＤ形式のみに対応したままとされていることのほうが多い。また、ＨＤ形式による動画像データの単位時間あたりのデータサイズは、ＳＤ形式と比較して相応に大きくなる。このことから、ＨＤ形式対応のビデオカメラ装置としては、以前と同様の、ＳＤ形式に対応した撮影記録、再生にも対応可能なようにして構成する、即ち下位互換性を与えることが、いまのところは一般的である。このような互換性を与えることで、ユーザにとっては、高画質を享受したい場合には、ＨＤ形式対応の記録再生モードを利用し、記憶媒体の記憶容量を節約したり、ＳＤ形式のみに対応するＡＶ機器での使用を前提とする場合には、ＳＤ形式対応の記録再生モードを利用する、というようにして使い分けをすることができる。
【０００６】
すると、上記のようにしてＨＤ形式とＳＤ形式とに対応するビデオカメラ装置としては、記憶媒体に記憶される映像コンテンツとして、ＨＤ形式のものと、ＳＤ形式のものとが混在することになる。すると、このような記憶媒体に対するコンテンツ再生として、ＨＤ形式のものとＳＤ形式のものとで映像コンテンツを連続再生させていくような態様を考えることができる。この際に、例えば、ＨＤ形式とＳＤ形式の両形式に対応して映像の表示出力が可能な外部映像出力装置と、ビデオカメラ装置の外部映像出力端子とを接続すれば、ビデオカメラ装置にて連続再生されるＨＤ形式とＳＤ形式の映像コンテンツの画像が上記外部映像出力装置により表示されることになる。
【０００７】
しかしながら、本来、ＨＤ形式とＳＤ形式とでは、映像信号の処理クロックや、フレーム期間内におけるデータ構造などをはじめとして、そのフォーマットは互いに異なっている。このために、ただ単に、ＨＤ形式の映像コンテンツとＳＤ形式の映像コンテンツを連続再生させていった場合には、映像コンテンツの形式が切り換わったタイミングで垂直同期タイミングがずれるなどして、切り換わり直後の冒頭の画像が乱れるような状態となる可能性がある。
このような画像の乱れがそのまま表示されてしまうことは、その画像を鑑賞しているユーザに不快感などを与えることにつながるため、何らかのかたちで解消されることが好ましい。
【課題を解決するための手段】
【０００８】
そこで本発明は上記した課題を考慮して、映像信号処理装置として次のように構成する。
つまり、複数の異なる形式の映像信号を、所定の映像信号出力規格により出力させる映像信号出力手段と、この映像信号出力手段により出力させている所定の第１の形式の映像信号による映像コンテンツの画像について、通常表示の状態から視覚的に認識できなくなる非表示の状態に遷移していく変化が与えられるようにして、映像信号出力手段により出力されるべき映像信号である処理対象映像信号についての処理を実行するフェードアウト処理手段と、このフェードアウト処理手段により得られた上記非表示の状態が継続されるようにして、処理対象映像信号についての処理を実行する非表示化処理手段と、この非表示化処理手段による非表示の状態が継続されている期間内において、映像信号出力手段について、第１の形式の映像信号を出力させる動作から、第１の形式とは異なる第２の形式の映像信号を出力させる動作に切り換えさせる、動作切換制御手段と、この動作切換制御手段により映像信号出力手段から第２の形式の映像信号を出力させる動作に切り換えられた後において、この第２の形式の映像信号による映像コンテンツの画像について、非表示の状態から、通常表示の状態に遷移していく変化が与えられるようにして、処理対象映像信号についての処理を実行するフェードイン処理手段とを備えることとした。
【０００９】
上記構成では、例えば形式の異なる映像信号を、所定の映像信号出力規格に従って出力させることが可能とされている。そのうえで、第１の形式とされる映像信号に続けて、第２の形式とされる映像信号を出力させる場合、映像信号を出力しているときにおいて、途中でその形式が切り換えられるときには、先ず、第１の形式の映像信号による映像コンテンツの画像が、通常表示から非表示の状態に変化していくというフェードアウト効果を与え、次に、このフェードアウトにより生じた非表示の状態を継続させ、この非表示の状態を継続させている間に、第２の映像信号出力への切換を行う。そして、非表示の状態の後には、第２の形式の映像信号による映像コンテンツの画像が、通常に表示される状態へと徐々に遷移するようにして変化していくようにされる。
つまり、本願発明においては、第１の形式から第２の形式への映像信号出力の切り換えは、映像コンテンツの画像が表示されない非表示期間において行われることになる。これにより、例えば本願発明の映像信号処理装置から出力される映像信号の受け側では、映像コンテンツの画像が表示されていない間に、第１の形式から第２の形式に対応する表示動作の切り換えを完了させることができる。つまり、第２の形式の映像コンテンツが表示され始めるフェードインの開始時には、既に、第２の形式の映像信号に対応した正常動作が得られている。
【発明の効果】
【００１０】
このような動作が得られるようにすることで、本発明では、第１の形式の映像信号による映像コンテンツから第２の形式の映像信号による映像コンテンツへと連続再生を行う場合において、映像信号形式の切り換わりにより生じる画像の乱れは表示されないこととなる。これにより、乱れた画像を見てユーザが不快感を感じることはなくなり、例えば使い心地の良い映像機器を提供することが可能になる。
【発明を実施するための最良の形態】
【００１１】
図１は、本願発明を実施するための最良の形態（以下、実施の形態という）とされるビデオカメラ装置１の構成例として、そのハードウェア及びソフトウェアにより実現される映像記録再生システムとしての構成例を示している。本実施の形態のビデオカメラ装置１は、撮像により得られた画像を、動画形式によりメディアに記録することが可能とされている。また、撮像画像を静止画形式によりメディアに記録することも可能とされている。
【００１２】
先ず、システム制御部１００は、ビデオカメラ装置１としての映像記録再生システムにおける主機能の制御を実行する部位とされ、その機能の多くはソフトウェアにより構成される。ここでのシステム制御部１００は、少なくとも画像アプリケーションフォーマット制御部１０１と、メディア制御部１０２とから成るものとして示されている。
【００１３】
画像アプリケーションフォーマット制御部１０１は、実施の形態のビデオカメラ装置１が対応する画像のアプリケーションフォーマットに対応する制御を実行するようにされる。確認のために述べておくと、ここでいうアプリケーションフォーマットとは、記憶媒体（メディア）に対する画像としてのコンテンツ（映像コンテンツ）データの記録再生に関連した論理的規定をいう。
本実施の形態のビデオカメラ装置１は、静止画(写真画像)と動画の撮影記録、再生が可能とされており、さらに、動画の撮影記録に関しては、所定のテレビジョン規格（例えばＮＴＳＣなど）におけるＳＤ形式とＨＤ形式とに対応している。先にも説明したように、ＳＤ(Standard Definition)形式は、水平ライン５２５本（垂直画素数＝５２５）として規定されるＮＴＳＣ(National Television Standards Committee)方式、水平ライン６２５本として規定されるＰＡＬ(Phase Alternation by Line)方式などのようにして、ＨＤ形式以前から実用化されている標準的な信号形式である。これに対してＨＤ(High Definition)形式は、ＳＤ形式以降において実用化された信号形式であり、ＳＤ形式よりも高画質化を図るために、より多くの解像度（水平／垂直画素数）とすべきことその他が規定されている。例えば水平ライン数についてはＮＴＳＣ方式とＰＡＬ方式とでともに１０８０とすべきことが規定されている。
上記のようにして、ビデオカメラ装置１が静止画と、ＳＤ形式としての動画（ＳＤ動画）、及びＨＤ形式としての動画（ＨＤ動画）に対応することに応じて、画像アプリケーションフォーマット制御部１１１は、静止画アプリケーションフォーマット制御部１１１、ＳＤ動画アプリケーションフォーマット制御部１１２、及びＨＤ動画アプリケーションフォーマット制御部１１３から成るものとされている。
【００１４】
静止画アプリケーションフォーマット制御部１１１は、ビデオカメラ装置１が採用する静止画のアプリケーションフォーマットに対応して静止画像の処理に関連する制御を実行する。
ＳＤ動画アプリケーションフォーマット制御部１１２は、ビデオカメラ装置１が採用するＳＤ動画のアプリケーションフォーマットに対応して動画像処理に関連する制御を実行する。
ＨＤ動画アプリケーションフォーマット制御部１１３は、ビデオカメラ装置１が採用するＨＤによる動画のアプリケーションフォーマットに対応して動画像処理に関連する制御を実行する。
【００１５】
なお、本実施の形態においてビデオカメラ装置１が採用する上記静止画と、ＳＤ動画及びＨＤ動画に対応して採用されるべき各アプリケーションフォーマットについては特に限定されるべきものではなく、現在知られている、若しくは将来的に知られることとなるアプリケーションフォーマットのうちから適宜採用することとすればよい。ちなみに、現状であれば、静止画については、JPEG(Joint Photographic Expert Group)ファイルフォーマットなどを採用することが考えられる。また、ＳＤ動画については、DVD-Video、DVD-Video Recording Format(DVD-VR)、DVD+RW Video Recording Format(DVD+VR)などのうちから、本実施の形態のビデオカメラ装置１が対応する動画記録用メディアであるＤＶＤの物理フォーマットなどとの適合性も考慮した上で、適宜採用することができる。また、ＨＤ動画については、AVCHDを採用することができる。
【００１６】
また、メディア制御部１０２は、ソフトウェア階層による処理として、ＤＶＤドライブ１３７が対応するメディアであるＤＶＤと、ここでは図示していない、メモリカードなどのメディアへの記録再生処理に関する制御を実行するもので、ここでは、ファイルシステム制御部１１４とＤＶＤ／メモリカードドライブ制御部１１５から成るものとしている。
ファイルシステム制御部１１４は、メディアに対する画像データの書き込み／読み出しに関連する制御処理として、ファイルシステム層に対応する処理を実行するようにされる。本実施の形態の場合、ファイルシステムフォーマットとして、静止画用のメディアであるメモリカードではＦＡＴ(File Allocation Tables)システムを採用し、動画用メディアであるＤＶＤでは、その物理フォーマットとアプリケーションフォーマットとに応じた所定バージョンのＵＤＦ(Universal Disc Format)を採用する。従って、この場合のファイルシステム制御部１１４は、これらのファイルシステムに対応した構成を採ることになる。
【００１７】
画像圧縮／伸長処理部１２０は、画像処理として、静止画、ＳＤ動画、及びＨＤ動画に対応した画像圧縮／伸長処理を実行する部位であって、主としては、画像圧縮／伸長処理のためのハードウェアにより形成され、図示するようにして、静止画圧縮／伸長処理部１２１、ＳＤ動画圧縮／伸長処理部１２２、及びＨＤ動画圧縮処理部１２３を備えるものとされる。
静止画圧縮／伸長処理部１２１は、ビデオカメラ装置１が採用する静止画のアプリケーションフォーマットに対応した所定方式による画像圧縮符号化と、この圧縮符号化に対応した伸長（復号）処理を実行する。
ＳＤ動画圧縮／伸長処理部１２２は、ビデオカメラ装置１が採用するＳＤ動画のアプリケーションフォーマットに対応した所定方式による画像圧縮符号化と、この圧縮符号化に対応した伸長処理を実行する。
ＨＤ動画圧縮／伸長処理部１２３は、ビデオカメラ装置１が採用するＨＤ動画のアプリケーションフォーマットに対応した所定方式による画像圧縮符号化と、この圧縮符号化に対応した伸長処理を実行する。
【００１８】
また、上記画像圧縮／伸長処理部１２０における画像圧縮に関する動作は、システム制御部１００における画像アプリケーションフォーマット制御部１０１が制御するようにされる。つまり、静止画アプリケーションフォーマット制御部１１１により静止画圧縮／伸長処理部１２１の動作を制御し、ＳＤ動画アプリケーションフォーマット制御部１１２によりＳＤ動画圧縮／伸長処理部１２２の動作を制御し、ＨＤ動画アプリケーションフォーマット制御部１１３により、ＨＤ動画圧縮／伸長処理部１２３に対する制御を実行するようにされる。
また、この画像圧縮／伸長処理部１２０は、時刻情報処理部１２４と連携するものとされている。画像圧縮／伸長処理部１２０では、ＳＤ形式又はＨＤ形式の映像信号データについての圧縮符号化を施すのにあたって、再生時間情報（タイムスタンプ情報）を埋め込むようにされ、管理情報としては、この再生時間情報に基づいて、映像コンテンツの途中からのアクセスが可能なようにして管理するようにされる。時刻情報処理部１２４は、この再生時間情報を発生させるための機能部位とされる。
【００１９】
この場合のデータ制御部１３１は、ファイルシステム制御部１１４による、ファイルシステムレベルでのＤＶＤに対するデータの書き込み、読み出し命令に応じて、画像圧縮／伸長処理部１２０とＤＶＤドライブ制御部１３２との間におけるデータの受け渡しを制御するための部位とされる。
ＤＶＤドライブ制御部１３２は、ＤＶＤに対するデータの書き込み、読み出しを、デバイスドライバレベルで制御するための部位とされる。
ＤＶＤドライブ１３３は、例えば所定の物理フォーマットによるＤＶＤを装填可能とされており、上記ＤＶＤドライブ制御部１３２の制御に応じて、装填されたＤＶＤに対するデータの書き込み読み出しを実行する部位とされる。
【００２０】
映像／音声入出力インターフェイス１３４は、実施の形態のビデオカメラ装置１における、映像と音声の入出力を司る部位とされる。
例えばこの場合の映像／音声入出力インターフェイス１３４では、ここでは図示していないカメラ部により撮像して得られる映像信号と、この撮像と共にマイクロフォンなどにより収音して得られたとされる音声信号を入力して、例えば以降の録画記録やモニタ画像音声などとしての出力のために所要の信号経路に対する出力を行うようにされる。
また、映像／音声入出力インターフェイス１３４は、例えばメディアから再生して得られた映像／音声信号であるとか、そのときの撮影動作により得られている映像／音声信号（モニタ映像音声信号）を、所定の信号形式、信号入出力インターフェイス規格に対応した映像／音声の出力機能端子を介して外部に出力するための経路制御などを実行する。また、所定の規格に対応した映像／音声の入力機能端子から入力されてくる映像／音声信号を、以降の録画記録やモニタ画像音声などとしての出力させるための経路制御も実行可能とされる。
【００２１】
グラフィック表示制御部１３２は、ビデオカメラ装置１から外部に出力する画像として、撮像により得られた画像以外であって、所要の内容を有する画像（ここではＯＳＤ（On Screen Display：オンスクリーンディスプレイ）画像ということにする）の表示を実行させるための制御を実行する部位とされる。このために、グラフィック表示制御部１３２は、所要の内容のＯＳＤ画像の画像信号を生成して、例えばメディアからの再生画像などによる背景画像に重畳されるようにして合成を行って、映像／音声入出力インターフェイス１３４から出力させるようにする。
【００２２】
ユーザインターフェイス制御部１３６は、ビデオカメラ装置１に対して行われた操作に応じて、例えばその操作に対応する指示に応答した動作が得られるようにして、ビデオカメラ装置１における制御を実行する部位とされる。この図に示されるシステム構成では、例えば録画操作、メディアに対する録画（動画）ファイルや静止画（写真）ファイルの再生を指示する操作に応じて、ユーザインターフェイス制御部１３６がシステム制御部１００に対して、記録指示や再生指示を行うようにされる。また、操作に応答した動作として、所要の内容のＯＳＤ画像を表示させる必要のある場合には、ユーザインターフェイス制御部１３６は、グラフィック表示制御部１３５に対して、ＯＳＤ画像の表示指示を行うようにされる。
【００２３】
ＰＣ入出力インターフェイス１３７は、例えばパーソナルコンピュータなどの外部情報処理装置と、ビデオカメラ装置１との間での映像／音声データの入出力を司る部位とされる。例えば、ビデオカメラ装置１側のＤＶＤ、若しくはメモリカードに記憶されている映像／音声データを、外部情報処理装置に転送する場合には、先ず、ＤＶＤ／メモリカードドライブ制御部１１５によりＤＶＤ若しくはメモリカードからのデータの読み出しが実行され、この読み出されたデータを、ＰＣ入出力インターフェイス１３７が、外部情報処理装置に対して転送するようにされる。なお、このＰＣ入出力インターフェイス１３７として採用されるべきデータインターフェイス規格やデータ通信規格については特に限定されるべきではないが、本実施の形態では、図２により後述するようにして、ＵＳＢ(Universal Serial Bus)を採用することとしている。
【００２４】
次に、図２により、本実施の形態のビデオカメラ装置１についての、主に画像処理に関連する構成部位を示す。
先ず、カメラ部２は、撮像機能と、撮像により得られた撮像光を基として映像信号に変換する機能とを有する部位とされ、例えば図示するようにして、撮像部２１、カメラ信号処理部２２、カメラシステム制御部２３とから成る。
撮像部２１は、少なくとも、撮像レンズ群や絞りなどの光学系部品から成る光学系部位と、撮像素子を備えた光電変換部位とから成る。光学系部位においては、入射された光を撮像光として、光電変換部位における撮像素子の受光面に結像させる。光電変換部位においては、例えばＣＭＯＳ(Complementary Metal Oxide Semiconductor)センサ、あるいはＣＣＤ(Charge Coupled Device)などの光電変換素子を備えて構成され、光学系部２から入射されて受光面にて結像された撮像光を電気信号に変換することで撮像信号を生成し、カメラ信号処理部２２に出力する。
【００２５】
カメラ信号処理部２１は、上記のようにして撮像部２１の光電変換部位から入力されるアナログの撮像信号について、例えばゲイン調整、サンプルホールド処理を施すことによって波形整形を行ったうえで、Ａ／Ｄ変換を行うことで、デジタル映像信号に変換する。このようにして得られたデジタル映像信号は、メディアへの記録や表示のために、システム制御／信号処理部３に入力される。
【００２６】
カメラシステム制御部２３は、カメラ部２における動作制御を実行するもので、例えば撮像部２１に対しては、絞りやズームレンズ機構に対する制御やフォーカス制御などを実行するようにされる。また、カメラ信号処理部２１に対しては、上記の各種信号処理についてのパラメータ設定などのほか、ホワイトバランス制御などを実行するようにされる。
また、本実施の形態のビデオカメラ装置１が、ＳＤ形式とＨＤ形式による動画撮影記録が可能であることに応じて、カメラシステム制御部２３は、カメラ部２における動作モードをＳＤ形式とＨＤ形式とで切り換えるための制御も実行するようにされる。
【００２７】
システム制御／信号処理部３は、本実施の形態のビデオカメラ装置１としてのシステム全体を制御する機能と、記録再生、及び表示などのための信号処理機能を備えて構成される部位である。ここでは、システム制御／信号処理部３において備えられる機能部位として、ホストシステム制御部３１、ＨＤ／ＳＤシステム切換制御部３２、アプリケーションフォーマット制御部３３、ＨＤ映像信号処理部３４、ＳＤ映像信号処理部３５、音声信号処理部３６を示している。
【００２８】
ホストシステム制御部３１は、本来的には、本実施の形態のビデオカメラ装置１全体についての制御を統括して実行する部位とされるのであるが、ここでは、ＳＤ／ＨＤシステム切換制御部３２に対して、ＳＤ／ＨＤに対応したモード切換のタイミングを指示する部位として示されている。
【００２９】
ＳＤ／ＨＤシステム切換制御部３２は、上記のようにして、ホストシステム制御部３１の指示に応じて、ビデオカメラ装置１の撮像系と映像信号処理系の動作モードについて、ＳＤ形式に対応するモード（ＳＤモード）とＨＤ形式に対応するモード（ＨＤモード）との間で切換が行われるように制御するための部位とされる。このことに応じて、図においてＳＤ／ＨＤシステム切換制御部３２から引き出される破線の矢印として示すように、ＳＤ／ＨＤシステム切換制御部３２は、カメラ部２３におけるカメラシステム制御部２３と、システム制御／信号処理部３におけるアプリケーションフォーマット制御部３３、ＳＤ映像信号処理部３４、ＨＤ映像信号処理部３５、音声信号処理部３６と、映像出力制御部５におけるＳＤ／ＨＤ映像信号入出力処理部３７、グラフィック処理部３８、表示駆動部３９を制御するものとされる。これらのＳＤ／ＨＤシステム切換制御部３２が制御対象とする部位は、ＳＤ／ＨＤシステム切換制御部３２の指示に応じて、その動作の停止、実行を切り換えたり、また、ＳＤ形式に対応する動作とＨＤ形式に対応する動作とで切換を行うようにされる。
【００３０】
アプリケーションフォーマット／メディア制御部３３は、ＳＤモード時にはＳＤ形式のアプリケーションフォーマットに適合した、また、ＨＤモード時にはＨＤのアプリケーションフォーマットに適合した映像コンテンツの記録再生動作が実行されるようにするための制御処理を実行する。
このために、アプリケーションフォーマット／メディア制御部３３は、図示するようにして、ＤＶＤドライブ制御部６、メモリカードドライブ７と接続されており、これにより、本実施の形態のビデオカメラ装置１が対応するとされる記憶媒体である、ＤＶＤやメモリカードなどに対するデータの書き込み／読み出し制御を実行可能とされている。また、ＵＳＢインターフェイス８とも接続されることで、外部情報処理装置との間で通信を行って、映像コンテンツのデータのやりとりを行うことも可能とされている。
なお、この図に示されるアプリケーションフォーマット／メディア制御部３３は、図１に示したシステム制御部１００を成す、画像アプリケーションフォーマット制御部１０１（静止画アプリケーションフォーマット制御部１１１、ＳＤ動画アプリケーションフォーマット制御部部１１２、ＨＤ動画アプリケーションフォーマット制御部１１３）、及びメディア制御部１０２（ファイルシステム制御部１１４、ＤＶＤ／メモリカードドライブ制御部１１５）に対応するものとしてみることができる。
【００３１】
ＤＶＤドライブ制御部６は、図１のＤＶＤドライブ制御部１３２に対応するもので、アプリケーションフォーマット／メディア制御部３３の制御に応じて、例えばデバイスドライバレベルで、ＤＶＤドライブ（１３３）に対する書き込み／読み出し制御を実行する部位とされる。先にも説明したように、本実施の形態では、ＤＶＤドライブに装填されるＤＶＤに対して動画による映像コンテンツの画像音声情報を記録するようにされている。
メモリカードドライブ７は、アプリケーションフォーマット／メディア制御部３３の制御により、装填されたメモリカードに対する、写真としての静止画像データの書き込み／読み出し制御を実行する部位とされる。
ＵＳＢインターフェイス８は、図１との対応では、ＰＣ入出力インターフェイス１３７に対応する。つまり、ここでのＰＣ入出力インターフェイス１３７は、そのインターフェイス規格としてＵＳＢ(Universal Serial Bus)を採用するものとしている。アプリケーションフォーマット／メディア制御部３３は、このＵＳＢインターフェイス８を制御してＵＳＢによる通信を外部と実行することで、例えば先に述べたようにして、外部情報処理装置であるパーソナルコンピュータなどと、静止画データや動画データなどの映像コンテンツのデータの授受を行うようにされる。
【００３２】
ＳＤ映像信号処理部３４は、ＳＤの映像信号形式に対応した各種所定の信号処理を実行する。ＨＤ映像信号処理部３５も同様にして、ＨＤの映像信号形式に対応した各種所定の信号処理を実行する。なお、これらの映像信号処理部における主たる信号処理機能としては、画像圧縮符号化と、これに対応した復号（伸長）処理となる。つまり、図１におけるＳＤ動画圧縮／伸長処理部１２２とＨＤ動画圧縮／伸長処理部１２３は、それぞれ、上記ＳＤ映像信号処理部３４、ＨＤ映像信号処理部３５において含まれる機能部位であるとしてみることができる。また、ここでのＳＤ、ＨＤのそれぞれの形式に対応して採用すべき画像圧縮符号化方式については、ここでは特に限定されるべきではないが、現状であれば、ＨＤ形式とＳＤ形式とに対応する画像圧縮符号化方式としては、ＭＰＥＧ２方式が知られている。また、ＨＤ形式については、ＭＰＥＧ４−ＡＶＣ／Ｈ．２６４といわれる方式も知られている。本実施の形態としても、これらの方式を採用することができるものである。
音声信号処理部３６は、上記のＳＤ又はＨＤ形式の動画像とともに同期して記録又は再生されるべき音声信号についての再生信号処理、又は記録信号処理を実行する部位とされ、再生信号処理を実行している場合には、処理後の音声信号を、音声入出力制御部４に対して出力するようにされる。また、記録信号処理を実行する場合には、音声入出力制御部４から入力されてくる音声信号について処理を実行するようにされる。この音声信号処理部３６における主たる信号処理機能としても、例えば記録信号処理としては、所定方式による音声圧縮符号化とされ、再生信号処理としては、上記音声圧縮符号化に対する伸長（復号処理）となるものである。
【００３３】
音声入出力制御部４は、上記もしているように、ビデオカメラ装置１と外部との間での音声信号の入出力に関する制御を実行する。
ビデオカメラ装置１では、例えばここでは図示していないが、撮像画像とともに記録する音声を収音するためのマイクロフォンを備える、あるいは接続可能とされており、音声入出力制御部４は、このマイクロフォンにより収音して得られた音声信号を音声信号処理部３６に出力するようにされる。あるいは、外部音声信号入力端子から入力した音声信号を音声入出力制御部４に出力することも可能とされる。
また、例えばＤＶＤやメモリカードなどから読み出された映像コンテンツの再生処理時には、音声信号処理部３６により再生信号処理が施された上記映像コンテンツの音声信号を、音声入出力制御部４により、外部音声出力端子を介して外部機器に出力するようにされる。
【００３４】
映像出力制御部５は、メディアから再生した映像コンテンツとしての画像情報の出力や、現在撮影中にあるとされる撮像画像（モニタ画像）としての画像情報の出力に関する制御、画像信号処理を実行する部位とされる。ここでの画像情報の出力とは、所定の映像信号形式や映像信号入出力規格による外部への映像信号出力と、ビデオカメラ装置１が備える表示パネルやビューファインダなどに対して画像を表示出力させることとをいう。
【００３５】
この図では、映像出力制御部５を構成する部位として、ＳＤ／ＨＤ映像信号入出力処理部３７、グラフィック処理部３８、及び表示駆動部３９が示されている。
ＳＤ／ＨＤ映像信号入出力処理部３７では、例えばシステム制御／信号処理部３におけるＳＤ映像信号処理部３４により信号処理が施されて出力されてくるＳＤ形式の映像信号、又はＨＤ映像信号処理部３５により信号処理が施されて出力されてくるＨＤ形式の映像信号と、次に説明するグラフィック処理部３８により生成されたＯＳＤ画像の映像信号とを入力可能とされている。また、この図においては、ＳＤ／ＨＤ映像信号入出力処理部３７においてキャプチャ処理部３７ａが示されているが、これは後述する他の態様例としてのフェードシーケンスに対応して設けられるべきものとされる。
グラフィック処理部３８では、上記もしたように、必要に応じてＯＳＤ画像の映像信号を生成してＳＤ／ＨＤ映像信号入出力処理部３７に出力するようにされる。
ここで、本実施の形態のビデオカメラ装置１のようにして、ＳＤ形式の映像信号とＨＤ形式の映像信号とを出力可能とされている場合、その解像度などの違いに応じて、ＯＳＤ画像の生成にあたっても、ＳＤ形式とＨＤ形式とで異なる生成処理を実行する必要があるものとされる。このことに応じて、図においては、グラフィック処理部３８として、ＨＤ形式に対応するＯＳＤ画像を生成するＨＤ対応処理部３８ａと、ＳＤ形式に対応するＯＳＤ画像を生成するＳＤ対応処理部３８ｂとを備えるものとして構成される。
【００３６】
ＳＤ／ＨＤ映像信号入出力処理部３７では、上記のようにして入力されてくるＳＤ形式又はＨＤ形式の映像信号と、ＯＳＤ画像の映像信号とについての選択、合成などの所要の映像信号処理を施した上で、外部への映像信号出力のために、ＨＤＭＩ出力部９とＤ端子対応出力部１０に対して出力するようにされる。
また、ビデオカメラ装置１における表示パネル１１や電子ビューファインダ１２により画像表示が行われるようにするために、表示駆動部３９に対しても、上記映像信号処理後の映像信号を出力することが可能とされている。
なお、本願発明でいうところの処理対象映像信号は、本実施の形態との対応では、映像出力制御部５からＨＤＭＩ出力部９又はＤ端子対応出力部１０から出力される前段階の信号であって、映像出力制御部５における上記ＳＤ／ＨＤ映像信号入出力処理部３７やグラフィック処理部３８などにて画像信号処理が施されるべき映像信号となる。
【００３７】
ＨＤＭＩ出力部９は、映像／音声の入出力規格であるＨＤＭＩ(High Definition Multimedia Interface)に対応して、映像・音声データを外部に出力させるための機能部位とされる。本実施の形態の場合、ＨＤＭＩ出力部９から出力される映像信号としては、ＳＤ形式とＨＤ形式の何れかの形式によるものとなる。
Ｄ端子対応出力部１０は、Ｄ端子といわれる映像信号入出力規格に対応して、外部に映像信号を出力するための部位とされる。なお、Ｄ端子には、例えばＤ１〜Ｄ５までの規格が定めら得ているが、本実施の形態では、ＳＤ、ＨＤの両形式の映像信号をＤ端子から出力させることに応じて、例えばＤ３、Ｄ４、Ｄ５などのうちから、実際の映像信号形式等に適合した規格を採用することになる。
【００３８】
表示パネル部１１は、所定のディスプレイデバイスにより構成される部位であり、表示駆動部３９により駆動されることで、モニタ画像、メディア（ＤＶＤ、メモリカードなど）から読み出して再生した動画像、静止画像、さらにはＧＵＩ(Graphical User Interface)画像をはじめとしてグラフィック処理部３８により生成されたグラフィック画像などが表示される。本実施の形態において、この表示パネル部１１として採用されるディスプレイデバイスについては特に限定されるものではないが、例えば現状であれば、液晶ディスプレイデバイスなどを挙げることができる。
電子ビューファインダ（ＥＶＦ：Electronic View Finder）１２は、現在においてカメラ部２により撮影して得られているとされる画像、つまりモニタ画像が表示される部位である。表示駆動部３９は、モニタ画像としての映像信号を入力して、電子ビューファインダ１２としての表示デバイスを駆動するようにされる。
本実施の形態において、上記表示パネル部１１及び電子ビューファインダ１２として採用されるディスプレイデバイスについては特に限定されるものではないが、例えば現状であれば、液晶ディスプレイデバイスなどを挙げることができる。
【００３９】
上記図２に示す構成のビデオカメラ装置１では、撮像画像から得た動画像としての映像信号をＳＤ形式又はＨＤ形式による映像信号データ（動画像ファイル）としてＤＶＤに記録可能とされる。また、撮像画像から得た静止画としての画像データを、所定形式の静止画ファイルデータとしてメモリカードに記録可能とされている。
先ず、撮像画像を、ＳＤ形式の動画像情報としてＤＶＤに記録するときには、ホストシステム制御部３１は、ＨＤ／ＳＤシステム切換制御部３２に対して、動画記録モードについてＳＤ形式に対応するＳＤ記録モードを設定するように指示する。
これに応じて、ＨＤ／ＳＤシステム切換制御部３２は、カメラ部２のカメラシステム制御部２３について、ＳＤ形式に対応したカメラシステム制御モードを設定し、また、システム制御／信号処理部３６における動作モード設定として、ＳＤ映像信号処理部３４による映像信号処理を有効として、ＨＤ映像信号処理部３５についてはその動作を停止させておくようにする。また、アプリケーションフォーマット／メディア制御部３３に対しても、ＳＤ形式に対応するアプリケーションフォーマットによる制御処理モードを設定する。つまり、図１のＳＤ動画アプリケーションフォーマット制御部１１２を起動させる。
【００４０】
上記の設定状態の下での撮像画像の記録動作としては、先ず、カメラ部２により得られたＳＤ形式対応とされる撮像画像の映像信号がシステム制御／信号処理部３に入力されることになる。システム制御／信号処理部３では、入力された映像信号について、ＳＤ映像信号処理部３４により、圧縮符号化などをはじめとする所要の信号処理を施すようにされる。これにより、圧縮符号化されたＳＤ形式の映像信号データが得られることになる。
また、音声信号処理部３６においては、例えばマイクロフォンにより収音して得られた音声信号を音声入出力制御部４から入力して、上記ＳＤ映像信号処理部３４により処理される映像信号との再生時間的な同期を維持させるようにして、所定の音声圧縮符号化などの処理を施すようにされる。
アプリケーションフォーマット／メディア制御部３３では、例えば上記のようにして得られたＳＤ形式の圧縮映像信号データと、圧縮音声信号データとを、１つのＳＤ形式による映像コンテンツとして管理されるようにして、ＤＶＤドライブ制御部６に対する書き込み制御を伴ってＤＶＤに対して記録するようにされる。
【００４１】
次に、撮像画像を、ＨＤ形式の動画像情報としてＤＶＤに記録するときには、ホストシステム制御部３１は、ＨＤ／ＳＤシステム切換制御部３２に対して、ＨＤ記録モードとしての動画記録モードを設定する。これに応じて、ＨＤ／ＳＤシステム切換制御部３２は、カメラ部２のカメラシステム制御部２３に対してＨＤ形式に対応したモードを設定する。また、システム制御／信号処理部３６の動作モードとして、ＨＤ映像信号処理部３５を有効設定し、ＳＤ映像信号処理部３５については動作を停止設定する。また、アプリケーションフォーマット／メディア制御部３３に対しては、ＨＤ形式に対応するアプリケーションフォーマットによる制御処理モードを設定（ＨＤ動画アプリケーションフォーマット制御部１１３を起動）する。
【００４２】
この設定状態の下では、カメラ部２からＨＤ形式に適合した撮像画像の映像信号がシステム制御／信号処理部３に入力される。システム制御／信号処理部３では、ＨＤ映像信号処理部３５により信号処理を施して、ＨＤ形式による圧縮符号化形式の映像信号データを得る。また、このときにも、音声信号処理部３６においては、マイクロフォンにより収音して得られた音声信号を音声入出力制御部４から入力して音声圧縮符号化などの処理を施すようにされる。
そして、アプリケーションフォーマット／メディア制御部３３では、上記のＨＤ形式の圧縮映像信号データと圧縮音声信号データとを、１つのＨＤ形式による映像コンテンツとして管理されるようにしてＤＶＤに対して記録する。
【００４３】
このようにして、本実施の形態では、ＤＶＤに対してＨＤ形式による映像コンテンツ（ＨＤコンテンツ）と、ＳＤ形式による映像コンテンツ（ＳＤコンテンツ）を記録することが可能とされている。また、本実施の形態では、アプリケーションフォーマット制御部３３が対応するアプリケーションフォーマットとして、所定の物理フォーマットが規定されたＤＶＤに対して、ＳＤコンテンツとＨＤコンテンツの何れも記録可能であることとされている。つまり、本実施の形態のビデオカメラ装置１によっては、ＳＤコンテンツとＨＤコンテンツとが混在して記録されたＤＶＤを作成することが可能とされている。
【００４４】
次に、図２の構成の下での、上記のようにしてＤＶＤに記録されたＳＤコンテンツ、ＨＤコンテンツの基本的な再生動作について説明する。
先ず、ＤＶＤに記録されているＳＤコンテンツを再生する場合には、ホストシステム制御部３１は、ＨＤ／ＳＤシステム切換制御部３２に対して、ＳＤ再生モードを設定する。これに応じて、ＨＤ／ＳＤシステム切換制御部３２は、ＳＤ映像信号処理部３４の再生信号処理を有効化して設定し、ＨＤ映像信号処理部３５については動作停止を設定する。また、アプリケーションフォーマット／メディア制御部３３に対しては、ＳＤ形式に対応するアプリケーションフォーマットによる制御処理モードを設定（ＳＤ動画アプリケーションフォーマット制御部１１２を起動）する。
また、映像出力制御部５に対しては、ＳＤ／ＨＤ映像信号入出力処理部３７についてＳＤ形式に対応する処理モードを設定し、グラフィック処理部３８については、ＳＤ対応処理部３８ａが動作するモードとし、表示駆動部３９に対しては、ＳＤ形式に対応した表示パネル部１１及び電子ビューファインダ１２に対する表示駆動の動作モードを設定する。
【００４５】
この設定状態の下では、例えばアプリケーションフォーマット制御部１１２がドライブ制御部６を介するようにして、目的のＳＤコンテンツを、ＤＶＤドライブに装填されているＤＶＤから読み出すようにされる。
このようにして読み出されたＳＤコンテンツのデータのうち、先ず映像信号データは、システム制御／信号処理部３のＳＤ映像信号処理部３４に入力され、ここで伸長処理などをはじめとする所定の再生信号処理が施され、映像出力制御部５に対して出力される。また、音声信号データは、システム制御／信号処理部３の音声信号処理部３６により、伸長処理などをはじめとする所定の再生信号処理が施され、音声入出力制御部４に対して出力される。
【００４６】
映像出力制御部５においては、システム制御／信号処理部３から出力された映像信号データをＳＤ／ＨＤ映像信号入出力処理部３７により入力する。
ＳＤ／ＨＤ映像信号入出力処理部３７は、先ず、ＨＤＭＩ出力部９としての端子に外部機器が接続されている場合には、ＨＤＭＩ出力部９からの出力に適合させたＳＤ形式の映像信号データに変換してＨＤＭＩ出力部９に対して出力される。また、Ｄ端子に対して外部機器が接続されている場合には、Ｄ端子出力に適合させたＳＤ形式の映像信号に変換してＤ端子対応出力部１０に出力させる。
また、音声入出力制御部４では、音声信号処理部３６から入力された音声信号について、先ず、所定の音声信号出力端子から出力させる。このようにして出力される音声信号は、例えばＤ端子対応出力部１０から出力される映像信号に対して再生時間が同期したものとなっている。また、音声入出力制御部４は、ＨＤＭＩ出力部９から映像信号と同期して出力させるべき音声信号をＨＤＭＩ出力部９に対して入力するようにもされる。ＨＤＭＩ出力部９では、映像信号とともに、この音声信号も出力させるように動作する。
これにより、例えばＨＤＭＩ出力部９やＤ端子対応出力部１０（及び音声信号出力端子）とモニタ装置が接続されているとした場合には、このモニタ装置にて、ＤＶＤから再生した映像コンテンツの画像がＳＤ形式により表示され、また、これに同期した音声が再生出力されることになる。
【００４７】
また、ＤＶＤに記録されているＳＤコンテンツを再生する場合には、ホストシステム制御部３１は、ＨＤ／ＳＤシステム切換制御部３２に対して、ＨＤ再生モードを設定する。これに応じて、ＨＤ／ＳＤシステム切換制御部３２は、ＨＤ映像信号処理部３５の再生信号処理を有効化して設定し、ＳＤ映像信号処理部３４については動作停止を設定する。また、アプリケーションフォーマット／メディア制御部３３に対しては、ＨＤ形式に対応するアプリケーションフォーマットによる制御処理モードを設定（ＨＤ動画アプリケーションフォーマット制御部１１３を起動）する。
また、映像出力制御部５に対しては、ＳＤ／ＨＤ映像信号入出力処理部３７についてＨＤ形式に対応する処理モードを設定し、グラフィック処理部３８については、ＨＤ対応処理部３８ｂが動作するモードとし、表示駆動部３９に対しては、ＨＤ形式に対応した表示パネル部１１及び電子ビューファインダ１２に対する表示駆動の動作モードを設定する。
【００４８】
この設定状態の下では、アプリケーションフォーマット制御部１１２がドライブ制御部６を介するようにして、目的のＨＤコンテンツを、ＤＶＤドライブに装填されているＤＶＤから読み出すことになる。そして、読み出されたＳＤコンテンツのデータのうち、映像信号データについては、システム制御／信号処理部３のＨＤ映像信号処理部３５にて伸長処理などをはじめとする所定の再生信号処理が施され、映像出力制御部５に対して出力される。また、音声信号データは、システム制御／信号処理部３の音声信号処理部３６により、伸長処理などをはじめとする所定の再生信号処理が施され、音声入出力制御部４に対して出力される。
【００４９】
映像出力制御部５のＳＤ／ＨＤ映像信号入出力処理部３７は、システム制御／信号処理部３から出力された映像信号データについて、ＨＤＭＩ出力部９に外部機器が接続されていれば、ＨＤＭＩ出力部９からの出力に適合させたＨＤ形式の映像信号データに変換してＨＤＭＩ出力部９に対して出力する。また、Ｄ端子に外部機器が接続されていれば、Ｄ端子出力に適合させたＳＤ形式の映像信号に変換してＤ端子対応出力部１０に出力させる。
また、音声入出力制御部４では、音声信号処理部３６から入力された音声信号について、例えばＤ端子対応出力部１０から出力される映像信号に対して再生時間を同期させて、所定の音声信号出力端子から出力させる。また、音声入出力制御部４は、ＨＤＭＩ出力部９から映像信号と同期して出力させるべき音声信号をＨＤＭＩ出力部９に対して入力させる。
これにより、例えばＨＤＭＩ出力部９やＤ端子対応出力部１０（及び音声信号出力端子）と接続されているモニタ装置などでは、ＤＶＤから再生した映像コンテンツの画像がＨＤ形式により表示され、また、これに同期した音声が再生出力される。
【００５０】
また、上記のようにしてＤＶＤから読み出して再生した映像コンテンツの画像については、表示パネル部１１（及び電子ビューファインダ１２）によっても表示させるようにして再生出力することが可能とされる。
このためには、システム制御／信号処理部３において伸長処理などの再生信号処理を経て映像出力制御部５に入力されてきたＳＤ形式、又はＨＤ形式による映像信号を、先ず、ＳＤ／ＨＤ映像信号入出力処理部３７が、表示パネル部１１（及び電子ビューファインダ１２）の画面サイズ（水平／垂直画素数）に対応した表示用画像データに変換したうえで、表示駆動部３９に渡すようにされる。これにより、表示パネル部１１（及び電子ビューファインダ１２）において、ＤＶＤから再生した映像コンテンツの画像が表示されることになる。
【００５１】
なお、本実施の形態のビデオカメラ装置１では、メモリカードドライブ７に装填されるメモリカードを対象として、撮像により得られた写真としての静止画像データを記録し、また、このようにして記録された静止画像データを読み出して再生し、ＨＤＭＩ出力部９及びＤ端子対応出力部１０から外部に映像信号として出力させることが可能とされ、また、表示パネル部１１（及び電子ビューファインダ１２）に対して表示出力可能とされているのであるが、このための基本的な構成、動作としては、例えば、これまでにおいてビデオカメラ装置やデジタルスチルカメラなどの技術が適用されればよいものであるので、ここでの説明は省略する。
【００５２】
これまでの説明から理解されるように、本実施の形態のビデオカメラ装置１では、動画記録用のメディアであるＤＶＤに対して、ＳＤ形式の映像コンテンツ（ＳＤコンテンツ）とＨＤ形式の映像コンテンツ（ＨＤコンテンツ）とを混在させるようにして記録して管理することが可能とされている。そのうえで、同じＤＶＤに記憶されている映像コンテンツの再生態様として、ＳＤコンテンツとＨＤコンテンツとを順次的にほぼ連続して再生出力させていくことが可能とされている。このような、共通のＤＶＤに対するＳＤコンテンツとＨＤコンテンツの混在記録と、ＳＤコンテンツとＨＤコンテンツの順次連続再生を実現するためのアプリケーションフォーマットの構成として、ＤＶＤのファイル管理、ファイル制御の態様例について、図３及び図４により説明を行うこととする。
【００５３】
図３は、本実施の形態に対応するＤＶＤのディレクトリ構造例を示している。
この図においては、先ず、rootディレクトリの直下において、構成情報ファイル、動画関連フォルダ、及び静止画ファイルフォルダが少なくとも置かれるものとしている。構成情報ファイルは、例えばroot以下のディレクトリ構造を記述した内容を有するファイルとされる。この構成情報を参照することで、ディレクトリを辿りながら目的のディレクトリ、ファイルに対してアクセスすることができるようにされている。
【００５４】
動画関連フォルダには、これまでに述べてきた動画像のデータである映像コンテンツと、これに関連した管理情報等を格納するフォルダとされる。
この場合、動画関連フォルダの直下には、動画ファイルフォルダ、再生順リストフォルダ、コンテンツ管理情報フォルダが少なくとも配置される。なお、オプションとして、図において破線で示すようにして、バックアップファイルを格納することも可能とされている。このバックアップファイルは、例えば動画関連フォルダ配下のディレクトリにおける所要のファイル、情報のコピーから成るものとされる。
【００５５】
動画ファイルフォルダは、映像コンテンツとしてのファイルである所定形式の動画ファイルを格納するフォルダとされ、ここに、１以上のＳＤコンテンツとしての動画ファイル（ＳＤ動画ファイル）と、ＨＤコンテンツとしての動画ファイル（ＨＤ動画ファイル）を格納することとしている。この図では、動画ファイルフォルダ内において、各１つのＨＤ動画ファイルとＳＤ動画ファイルが格納されている状態例を示している。なお、以降において、ここに格納されている上記ＨＤ動画ファイルとＳＤ動画ファイルについては、それぞれ、ファイルを特定する名称として「file1」「file2」を用いることとする。
【００５６】
再生順リストフォルダには、１以上の再生順リストファイルが格納される。再生順リストファイルは、ＳＤ動画ファイルとＨＤ動画ファイルを問わず、動画ファイルフォルダに格納される動画像ファイルのうちから、任意の動画像ファイルにおける任意の再生区間を再生対象として指定すると共に、これらの指定された再生区間を順次連続再生するにあたっての再生順を指定する記述内容を有する、再生制御情報とされる。
この場合には、動画ファイルフォルダに格納される、file1としてのＨＤ動画ファイルと、file2としてのＳＤ動画ファイルを対象として、その再生区間と再生順を指定する内容が記述された、１つの再生順リストファイル（Ａ）が格納されている状態を示している。
【００５７】
コンテンツ管理情報フォルダには、映像コンテンツとして動画ファイルフォルダに格納されている動画ファイルを管理するための所要の管理情報が格納される。このような管理情報として、図においては、コンテンツアクセス情報が示されている。コンテンツアクセス情報は、動画ファイルフォルダに格納される動画ファイルごとに対応して存在するもので、対応する動画ファイルについての再生時間と、ＤＶＤ上での記録位置（アドレス）との対応を示す情報とされる。この図の場合には、動画ファイルフォルダにおいて、file1としてのＨＤ動画ファイルと、file2としてのＳＤ動画ファイルとが格納されていることに対応して、コンテンツ管理情報フォルダ内のコンテンツアクセス情報としても、file1に対応したものと、file2に対応したものとの２つが存在するようにされる。
【００５８】
静止画ファイルフォルダには、写真画像などとしての所定形式の静止画ファイルが格納される。先の説明では、撮像により得られた写真としての静止画ファイルは、メモリカードに記憶させるものとされているが、本実施の形態の下におけるＤＶＤのアプリケーションフォーマットでは、このようにして、ＤＶＤに対して、ＳＤ、ＨＤ形式の動画ファイルと共に、静止画ファイルを記憶させることも可能とされている。
【００５９】
次に、再生順リストフォルダに格納される再生順リストファイルに基づいた再生制御動作例として、上記図３に示されるディレクトリ構成の下で、再生順リストファイル（Ａ）に基づいた再生制御がどのようにして行われるのかについて、図４を参照して説明する。
先ず、図４（ａ）は、図３の再生順リストフォルダに格納される再生順リストファイルＡが指定する内容例を模式的に示している。
また、図４（ｂ）には、図３のコンテンツ管理情報フォルダに格納されているfile1（ＨＤ動画ファイル）対応のコンテンツアクセス情報と、file2（ＳＤ動画ファイル）対応のコンテンツアクセス情報を示し、図４（ｃ）には、動画ファイルフォルダに格納される、file1としてのＨＤ動画ファイルと、file2としてのＳＤ動画ファイルを示している。ここで、図４（ｃ）のＨＤ動画ファイル(file1)と、ＳＤ動画ファイル(file2)は、水平方向に延びるバー形状で示されており、これらのバーの左端部が再生開始時刻となり、右端部が再生終了時刻となるものとして示されている。そして、動画ファイルの再生時刻と記録位置（アドレス）との対応を示すコンテンツアクセス情報としても、図４（ｃ）に示すＨＤ動画ファイルとＳＤ動画ファイルのバーに対応した水平方向の長さを与えることで、各動画ファイルについての再生時刻が視覚的に示されるようにしている。
【００６０】
この場合の再生順リストファイル（Ａ）としては、第１〜第３区間指示情報から成るものとされている。この再生順リストファイル（Ａ）の構造は、先ず、第１区間指示情報が指定する映像コンテンツの区間部分を再生し、この再生の終了に続けて、第２区間指示情報が指定する映像コンテンツの区間部分を再生し、さらに第３区間指示情報が指定する映像コンテンツの区間部分を再生すべきことを指定している。つまり、この場合には、複数（２つ）の映像コンテンツから取り出した３つの区間部分を連続再生するように指定している。
そして、各区間指示情報の指定内容としては、図４（ｂ）（ｃ）との対応により示されるようにして、先ず、第１区間指示情報により、ＨＤ動画ファイル(file1)の開始時刻ｔ０から途中の時刻ｔ１までの区間部分を第１区間データとして指定している。次に、第２区間指示情報によっては、ＳＤ動画ファイル（file2）における途中の時刻ｔ４〜ｔ５までの区間部分を第2区間データとして指定し、最後に、第２区間指示情報により、再度、ＨＤ動画ファイルの途中の時刻ｔ２〜ｔ３までの区間部分を第３区間データとして指定している。
このような再生指示情報とされていることで、結果的には、図４（ｄ）に示すように、先ず、ＨＤ形式の第１区間→ＳＤ形式の第２区間→ＨＤ形式の第３区間の順で、連続的に、動画像データの再生が行われるものとなる。
例えばこのようにして、本実施の形態のビデオカメラ装置１では、ＳＤとＨＤとの間で信号形式が切り換わるようにして、映像コンテンツを連続再生することが可能とされている。
【００６１】
しかし、先にも述べているように、ＳＤ形式とＨＤ形式とでは、解像度等の違いから、映像信号に応じた処理クロックなどが相違する。このために、ＨＤの映像コンテンツとＳＤの映像コンテンツを単純に連続再生させていった場合には、映像コンテンツの形式が切り換わったタイミングで垂直同期タイミングがずれるなどの状態が発生することになる。例えば映像信号の受け側で、映像信号形式の切り換わり後の垂直同期信号に同期して、正常な画像が表示される安定した信号処理動作、表示駆動動作が得られるまでは、或る程度の時間が必要になる。このために、映像信号形式の切り換わりの直後に相当するタイミングにおいて、冒頭の画像が乱れるような状態となる可能性が高くなる。つまり、本実施の形態のビデオカメラ装置１であれば、ＨＤＭＩ出力部９又はＤ端子対応出力部１０から、ＳＤとＨＤとで形式が切り換わる映像信号を出力させた場合において、ＨＤＭＩ出力部９又はＤ端子対応出力部１０に接続される外部映像機器側において、入力された映像信号に基づいた画像表示を行っているときに、上記のような画像の乱れを生じることになる。
【００６２】
なお、本実施の形態の場合、このようなＳＤとＨＤとで映像信号形式が切り換わることに起因する画像の乱れは、表示パネル部１１（及び電子ビューファインダ１２）により画像を表示させる場合には生じないことから特に問題にはならない。表示パネル部１１に対して映像コンテンツを再生表示させる場合には、映像出力制御部５において、ＳＤ／ＨＤ映像信号入出力処理部３７により、ＳＤ形式の映像信号も、ＨＤ形式の映像信号も、一旦、表示パネル部１１の画素数（解像度）に対応した表示用映像信号に変換されるようになっているために、表示パネル部１１側としては、特に映像信号形式に応じて垂直同期タイミングを取り直すような同期処理は行わないからである。
【００６３】
しかし、上記したように、外部に映像信号を出力させて画像表示などを行わせるときには、ＳＤとＨＤとで信号形式が切り換わるのに応じて画像の乱れが生じ得る。このよう画像の乱れは、例えば表示画像を視ているユーザにとっては心地よいものではなく、また、ユーザによっては故障であると勘違いする場合もあると考えられ、従って、何らかのかたちで解消されるべきことが好ましいということになる。
そこで本実施の形態としては、次に説明するようにして、上記した画像の乱れが生じているとしても、これをユーザに見せることがないように配慮した表示態様が得られるようにしてビデオカメラ装置１を構成する。
【００６４】
図５は、本実施の形態のビデオカメラ装置１において、ＨＤ形式の第１区間データ→ＳＤ形式の第２区間データ→ＨＤ形式の第３区間データの順で連続再生を行う場合を示している。確認のために述べておくと、このようなＨＤ形式とＳＤ形式との間で映像信号を切り換えて連続再生させていく動作は、例えば図４により示したような再生順リストファイルに基づいてＤＶＤに記憶されている画像ファイル再生を行うことにより得られるものである。
そして、図５（ａ）は、上記第１区間データ（ＨＤ）、第２区間データ（ＳＤ）、第３区間データ（ＨＤ）としてのデータ部分をＤＶＤから読み出して、伸長処理などの再生信号処理を施して得られる映像信号データの出力タイミング（再生出力タイミング）を示している。例えば、この図５（ａ）に示される再生出力タイミングは、例えば図２との対応では、システム制御／信号処理部３のＳＤ映像信号処理部３４又はＨＤ映像信号処理部３５から、映像出力制御部５のＳＤ／ＨＤ映像信号入出力処理部３７に対して映像信号を出力させるタイミングに相当する。
図５（ｂ）は、上記図５（ａ）のタイミングで再生出力されてくる映像信号を映像出力制御部５が入力したうえで、ＨＤＭＩ出力部９又はＤ端子対応出力部１０から出力させたとする場合において、これらのＨＤＭＩ出力部９又はＤ端子対応出力部１０から出力される映像信号に基づいて得られる画像（以降、「再生出力画像」という）内容を、図５（ａ）の映像信号データの出力タイミングに対応させて示したものである。なお、実際には、図５（ａ）に示されるＳＤ映像信号処理部３４又はＨＤ映像信号処理部３５からの映像信号出力タイミングに対して、図５（ｂ）に示される画像のタイミングは、映像出力制御部５における信号処理などを要因として遅延するものであるが、ここでは、説明を簡単なものとすることの都合上、このような遅延時間の要素を排除して示している。
【００６５】
先ず、図５（ａ）に示されるようにして、第１区間データとしてのＨＤ形式の映像信号データは、時点ｔ０から再生出力が開始され、時点ｔ３にて再生出力が終了されている。これに応じた再生出力画像としては、図５（ｂ）に示すように、先ず、時点ｔ０からは通常に、この第１区間データとしての映像信号の画像を表示出力させる正規表示期間が開始されている。そして、第１区間データの再生出力が終了するとされる時点ｔ３から一定時間分前となる時点ｔ１に至ると、再生出力画像としては、これまで正規表示させていた第１区間データの画像を所定の表示態様によりフェードアウトさせていくようにされる。なお、フェードアウトの態様としては多様に考えられるものではあるが、ここでは、最も単純で簡易なものとして、表示画像の明るさについて、通常表示に対応する本来の明るさから、徐々に、本来の画像が黒くなって見えなくなる程度にまで低減させる、という態様を採るものとする。
そして、このフェードアウトの表示は、第１区間データの再生出力が終了する時点ｔ３よりも前の時点ｔ２において完了するようにされる。フェードアウトの状態が完了して時点ｔ２を経過した段階では、表示出力画像は、例えば画面全体が黒色のベタ画像となっているなど、所定の態様により、第１区間データの画像は全く表示されていない状態となっている。
【００６６】
上記時点ｔ３から開始された非表示期間は、次の第２区間データの再生出力が開始されて一定時間を経過する時点ｔ６まで継続される。この時点ｔ２〜ｔ６までの期間においては、先ず、時点ｔ３により第１区間データの再生出力が終了し、この時点ｔ３から或る時間が経過した時点ｔ４のタイミングで、次に再生出力すべき第２区間データがＳＤ形式に切り換わることに応じて、ビデオカメラ装置１における再生信号処理及び表示出力信号処理系については、ＨＤからＳＤに対応したモードへの切換設定が行われる。そして、時点ｔ５から第２区間データの再生出力を開始させることになる。
そして、第２区間データの再生出力が開始された時点ｔ５に対して直後となる時点ｔ６に至ると、これまでの非表示の状態から、徐々に第２区間データの画像を明確に表示させていくフェードインの表示を開始させ、これを時点ｔ７までの所定時間長による期間において行うようにされる。そして、時点ｔ７以降においては、第２区間データの画像を通常に表示する正規表示期間が開始される。
【００６７】
ここで、確認のために述べておくと、これまでに説明した時点ｔ０〜時点ｔ７までの間、ビデオカメラ装置１のＨＤＭＩ出力部９又はＤ端子対応出力部１０からは、図５（ｂ）により示した画像内容の映像信号を継続して出力しているものとされる。そして、この映像信号は、ＨＤ形式からＳＤ形式への設定切換が行われる時点ｔ４まではＳＤ形式であり、時点ｔ４以降においてＨＤ形式に切り換わることになる。すると、ＨＤＭＩ出力部９又はＤ端子対応出力部１０により、映像信号を入力して画像表示させている外部映像機器では、この時点ｔ４のタイミングで映像信号形式が切り換わったことに応じて、或る一定期間において垂直同期タイミングがずれるなどして画像の乱れが生じる可能性を持つことになる。しかしながら、時点ｔ４の前後の映像信号は、ＨＤとＳＤとで形式は異なるものの、非表示の状態に対応して、例えば全黒に対応する輝度レベルを有しているという共通点を持つ。このために、外部映像機器の実際の動作として、同期ずれなどが生じているとしても、視覚的に見える画像としては黒色の画面のままであり、ユーザが画の乱れを認識することはない。そして、このような画像の乱れは、外部映像機器側で、入力映像信号に同期した状態となることで、或る短時間のうちに解消されることになるのであるが、フェードイン期間の開始タイミングである時点ｔ６と時点ｔ４との間の時間間隔は、この外部映像機器において、入力映像信号の形式が切り換わってから安定した同期状態が得られるまでに要するとされる時間を考慮して設定される。従って、時点ｔ６に至った段階では、外部映像機器側で、切り換わり後の映像信号の形式に対応した安定動作が得られている状態にあるものとされ、第２区間データの画像のフェードインは、このようにして、安定した画像表示が保証された動作状態の下で行われることになる。
つまり、本実施の形態では映像信号形式が切り換わることにより画像の乱れが生じる可能性のある期間は、有効な内容の画像が表示されない非表示の状態とする映像信号出力を行うようにされる。そのうえで、通常に区間データの画像を表示させていた状態からいきなり非表示の状態に変化させたとすると、ユーザに違和感を与えたり、ユーザが故障であると勘違いしたりする場合があることを考慮して、非表示の状態の前後では、フェードイン、フェードアウトを併用することとしているものである。
このようにして、本実施の形態では、ユーザは、ＨＤとＳＤとの間での信号形式の切り換わりにより生じる画像の乱れを視ることが無く、また、信号形式の切り換わりの前後でコンテンツ画像について、フェードアウト→非表示→フェードインの順序（フェードシーケンス）による表示が行われることで、非表示の期間を自然に受け止めることができる。
【００６８】
そして、図５における時点ｔ８以降として示すように、フェードアウト／フェードインを併用した非表示期間の設定、つまり本実施の形態のフェードシーケンスは、ＳＤ形式からＨＤ形式に映像信号が切り換わるときにも行われるようにされる。
つまり、ＳＤ形式である第２区間データの再生出力が終了するとされる時点ｔ１０より所定時間前となる時点ｔ８のタイミングでフェードアウトを開始させ、ここから一定時間経過する時点ｔ９（時点ｔ１０より前）において非表示の状態に移行する。そして、この非表示状態の下で、時点ｔ１０にて第２区間データの再生出力が終了し、ここから或る時間を経過した時点ｔ１１において、次に再生出力すべき第３区間データがＨＤ形式に切り換わることに応じて、ビデオカメラ装置１における再生信号処理及び表示出力信号処理系について、ＨＤ形式からＳＤ形式に対応したモードへの切換設定を行う。この時点ｔ１１のタイミングで、ビデオカメラ装置１（ＨＤＭＩ出力部９、Ｄ端子対応出力部１０）から外部に出力される映像信号の形式は、ＨＤからＳＤに変更される。そして、この後の時点ｔ１２において第３区間データの再生出力が開始され、その直後の時点ｔ１３に至ったタイミングでは、既に、外部映像機器側では、ＳＤ形式に対応した安定した画像表示動作を得ているものとされる。そして、時点ｔ１３から時点ｔ１４までの一定期間によりフェードインの表示を行い、時点ｔ１４以降は、第３区間データの画像を通常に表示させる。この場合には、時点ｔ１５により第３区間データの再生出力と、これに伴うビデオカメラ装置１（ＨＤＭＩ出力部９、Ｄ端子対応出力部１０）からの映像信号出力を停止させることとしている。
【００６９】
次に、上記図５に示したシーケンスにおける、第１区間データから第２再生区間データの再生出力に関連して、ビデオカメラ装置１内にて実行される手順例を図６に示す。この図においては、図１の画像アプリケーションフォーマット制御部１１１におけるシーケンサ、再生順リスト解析部、及び再生制御部と、画像圧縮／伸長処理部１２０におけるＨＤ動画圧縮／伸長処理部１２３（ＨＤ−ＤＥＣ）、ＳＤ動画圧縮／伸長処理部１２２（ＳＤ−ＤＥＣ）と、メディア制御部１０２におけるファイルシステム制御部１１４、ドライブ制御部（ＤＶＤ／メモリカードドライブ制御部１１５におけるＤＶＤドライブ制御機能）と、映像出力制御部５の各部が実行する手順を示している。なお、画像アプリケーションフォーマット制御部１１１における、シーケンサ、再生順リスト解析部、及び再生制御部は、図１には示されていないが、図１に示されるＳＤ動画アプリケーションフォーマット制御部１１２、及びＨＤ動画アプリケーションフォーマット制御部１１３において得られる機能とされる。ここでのシーケンサは、ＳＤ形式及びＨＤ形式の動画ファイルをはじめ、ＤＶＤに記憶されているファイル情報の読み出し、再生が適正手順により行われるようにコントロールするものとされる。再生順リスト解析部は、再生順リストファイルについての内容を解析してその結果を出力する。再生制御部はアプリケーションの階層レベルで再生命令などの再生制御を実行する。
【００７０】
例えばシーケンサは、ステップＳ１０１により、ビデオカメラ装置１に対して行われた、ＤＶＤに記録されている映像コンテンツを再生するための操作などをトリガとして、コンテンツ再生開始命令を再生制御部に対して出力する。これに応答して再生制御部は、ステップＳ１０２として示すように、出力されたコンテンツ再生開始命令が指定する再生順リストファイルをＤＶＤから読み出させるための命令を出力する。これに応じて、メディア制御部１０２（ファイルシステム制御部１１４、ドライブ制御部）は、ステップＳ１０３として示すように、ＤＶＤから再生順リストファイルを読み出すようにされる。
この再生順リストファイルの読み出し応答を受けた後、シーケンサは、ステップＳ１０４により、再生順リスト解析部に対して、今回において読み出しを行った再生順リストファイルを解析する命令を出力する。再生順リスト解析部は、ステップＳ１０５により再生順リストファイルについての解析を行って、その解析結果として、再生順データベースを作成してシーケンサに渡すようにされる。再生順データベースは、例えば図４（ａ）において模式的に示したように、再生すべき映像コンテンツの区間と、その再生順とを指定した内容を、シーケンサが解釈可能な形式にした情報とされる。
【００７１】
この再生順データベースを参照したシーケンサは、先ず、ＨＤ形式の画像ファイルであるfile1における再生時刻ｔ０〜ｔ１の区間を再生すべきことを認識することになる。そして、シーケンサは、この認識結果に従い、ステップＳ１０６により、ＨＤ形式に対応した再生出力と映像信号出力が行われるための内部設定が行われるように、ＨＤ対応デコード設定命令を画像圧縮／伸長処理部１２０のＨＤ動画圧縮／伸長処理部１２３（ＨＤ−ＤＥＣ）に対して出力するようにされる。これに応じて、ＨＤ動画圧縮／伸長処理部１２３は、画像圧縮／伸長処理部１２０において自身の動作が有効化されるようにして設定する。これにより、画像圧縮／伸長処理部１２０としては、ＨＤに対応した処理を実行可能なモード設定が行われたことになる。次に、画像圧縮／伸長処理部１２０は、自身をＨＤに対応したモードに設定したことに伴い、ステップＳ１０７により、映像出力制御部５に対して、ＨＤ対応表示設定命令を出力するようにされる。これに応答して、映像出力制御部５では、ＨＤ形式に対応した映像信号出力が行われるようにしてモード設定を行うようにされる。つまり、ＳＤ／ＨＤ映像信号入出力処理部３７について、ＨＤ形式に対応した映像信号出力のための動作が得られるように設定するようにされる。
【００７２】
ここまでの手順が完了することで、ビデオカメラ装置１としては、ＨＤ形式に対応する画像ファイルの再生出力と、映像信号出力が可能なモード（ＨＤ再生モード）が設定されていることになる。そこで、シーケンサは、ステップＳ１０８により、再生順データベースにおいて指定される第１区間としての画像ファイルのデータ部分を再生させるための命令（第１区間再生命令）を再生制御部に対して出力する。再生制御部は、この命令に応答して、ステップＳ１０９により、アプリケーションレベルで、メディア制御部１０２に対して第１区間データの再生命令を行うようにされる。これに応じて、メディア制御部１０２では、ステップＳ１１０として示すように、ファイルシステム制御部及びドライブ制御部が、ファイルシステムレベル、デバイスドライバレベルでの読出制御を実行して、第１区間データの読み出しを行うようにされる。このようにして読み出された第１区間データは、画像圧縮／伸長処理部１２０におけるＨＤ動画圧縮／伸長処理部１２３（ＨＤ−ＤＥＣ）に渡される。これに応じて、シーケンサに対しては、ステップＳ１１１として示すように、第１区間データの読み出しが成功したことの通知（第１区間データの再生命令（Ｓ１０９）に対する応答）が行われる。
また、以降、ＨＤ動画圧縮／伸長処理部１２３（ＨＤ−ＤＥＣ）においては、ＤＶＤから読み出されてくるＨＤ形式の第１区間データに対する伸長処理（及びその他の所要の再生信号処理）を施し、映像出力制御部５に対する出力を実行していくようにされる。この第１区間データについての再生信号処理の開始にあたり、ＨＤ動画圧縮／伸長処理部１２３は、ステップＳ１１２として示すようにして、映像出力制御部５に対して、自身が出力したデコード後の映像信号データについての表示（ここでは、ＨＤＭＩ出力部９又はＤ端子対応出力部１０からの映像信号出力を指す）の開始を命令する。これに応じて、映像出力制御部５では、第１区間データに対応するＨＤ形式の映像信号の外部出力を開始する。このようにして映像信号の外部出力を開始した時点が、図５において第１区間データの正規表示が開始される時点ｔ０に対応することになる。
【００７３】
上記のステップＳ１１１に対応してＨＤ動画圧縮／伸長処理部１２３（ＨＤ−ＤＥＣ）が第１区間データの再生信号処理を開始して以降において、ある時間を経過すると、第１区間データの再生終了時点に対して所定時間前となる時点（再生終了予告時点）に至ることになる。この再生終了予告時点に至ったか否かは、例えばＨＤ動画圧縮／伸長処理部１２３においてこれまでに出力させた第１区間データの時間をカウントしておくようにすればよい。第１区間データの総再生時間から、このカウントした時間を差し引けば、残りの再生時間が認識され、この残りの再生時間が一定以下となったタイミングが再生終了予告時点であることになる。あるいは、ＨＤ動画圧縮／伸長処理部１２３（ＨＤ−ＤＥＣ）がハードウェアとして有している信号処理用のバッファメモリに保持されている再生信号処理前のデータ蓄積量の変化状態などを基に、再生終了予告時点を推定することも可能である。そして、再生終了予告時点に至ったとされると、ＨＤ動画圧縮／伸長処理部１２３（ＨＤ−ＤＥＣ）は、ステップＳ１１３により、シーケンサに対して再生終了予告を通知するようにされる。この通知を受けて、シーケンサは、ステップＳ１１４として示すように、映像出力制御部５に対して、ＨＤ形式に対応したフェードアウト処理の開始を命令するようにされる。
【００７４】
この命令に応答して、映像出力制御部５においては、例えばＳＤ／ＨＤ映像信号入出力処理部３７により、現在において、ＨＤＭＩ出力部９及びＤ端子対応出力部１０から出力させている第１区間データの映像信号データについて、所定の単位時間あたりの減衰率によって輝度を低下させていく信号処理を実行するようにされる。この輝度減少の処理が施された映像信号が、ＨＤＭＩ出力部９及びＤ端子対応出力部１０から出力されることになるわけであり、これにより、表示出力画像としては、第１区間データの画像が徐々に暗くなっていくようにしてフェードアウトしていくものとなる。このようにして、ステップＳ１１４の命令に応答して映像出力制御部５がフェードアウトの信号処理を開始したタイミングが、図５の時点ｔ１に対応する。
そして、上記のフェードアウトの信号処理が進行して一定時間が経過し、図５の時点ｔ２として示す、第１区間データの画像が見えなくなった非表示の状態に至ったとされると、映像出力制御部５は、ステップＳ１１５により、フェードアウト完了通知（フェードアウト処理開始命令（Ｓ１１４）に対する応答）をシーケンサに出力する。
なお、この時点ｔ２対応するフェードアウト完了のタイミングから或る時間を経過した時点ｔ３としてのタイミングで、第１区間データの再生信号処理は完了することになる。なお、この時点ｔ３は、図６においては、上記ステップＳ１１５によるフェードアウト完了通知の出力後において、次に説明するステップＳ１１６が実行される前のタイミングにて得られているものとされる。この時点ｔ３から後述するステップＳ１１７に対応する時点ｔ４までの期間においては、映像出力制御部５からは区間データ（映像コンテンツ）の映像信号は出力されていない代わりに、時点ｔ２からの非表示状態に対応する、輝度を低下させただけのＳＤ形式の映像信号が出力されていることになる。
【００７５】
シーケンサは、上記ステップＳ１１５による通知を受けたことに応じて、ＳＤ形式である第２再生区間データの再生出力を開始させるための手順を実行していくことになる。このために、先ずは、ステップＳ１１６により、ＳＤ対応デコード設定命令を、画像圧縮／伸長処理部１２０のＳＤ動画圧縮／伸長処理部１２２（ＨＤ−ＤＥＣ）に対して出力するようにされる。これに応じて、ＳＤ動画圧縮／伸長処理部１２２は、画像圧縮／伸長処理部１２０において自身の動作が有効化されるようにして設定するようにされ、これにより、画像圧縮／伸長処理部１２０としては、これまでのＨＤ形式に対応したモードから、ＳＤ形式に対応したモードに切り換わる。次に、画像圧縮／伸長処理部１２０は、自身をＨＤ形式に対応したモードに設定したことに伴い、ステップＳ１１７により、映像出力制御部５に対して、ＳＤ対応表示設定命令を出力するようにされる。これに応答して、映像出力制御部５では、これまでのＨＤ形式からＳＤ形式に対応した映像信号出力を実行するモードに設定を切り換える。このモード設定の切り換えを完了したとされるタイミングが、図５の時点ｔ４に対応する。つまり、このタイミングで、映像出力制御部５から外部に出力される映像信号は、ＨＤ形式からＳＤ形式に変更される。ただし、その映像信号の画像内容としては、例えば黒色のベタ画像を再現するものが継続される。従って、先にも述べたようにして、このタイミングで映像出力制御部５から出力される映像信号形式が切り換わったとしても、表示される画像としては全面が黒色で変化はないものであり、ユーザが画像の乱れを視ることはないようにされる。
【００７６】
そして、シーケンサは、ステップＳ１１８により、再生順データベースにおいて指定される第２区間としての画像ファイルのデータ部分を再生させるための命令（第２区間再生命令）を再生制御部に対して出力する。この命令に応答して、ステップＳ１１９、Ｓ１２０の手順として示すように、再生制御部及びメディア制御部１０２より、第２区間データの読み出し制御が実行され、ＤＶＤから読み出された第２区間データは、ＳＤ動画圧縮／伸長処理部１２２（ＳＤ−ＤＥＣ）に渡される。これに応じて、シーケンサに対しては、ステップＳ１２１として示すように、第２区間データの読み出しが成功したことの通知（第２区間データの再生命令（Ｓ１１９）に対する応答）を行うようにされる。
【００７７】
また、画像圧縮伸長処理部１２０においては、第２区間データ以降の区間データの再生開始時に応じては、シーケンサに対して、その区間データの再生信号処理を開始させたことの通知（再生開始通知）を行うようにされる。そこで、この場合のＳＤ動画圧縮／伸長処理部１２２（ＳＤ−ＤＥＣ）は、上記ステップＳ１２１の手順とともに、次のステップＳ１２２として示すように、第２再生区間データの再生開始通知を行うようにされる。また、ＳＤ動画圧縮／伸長処理部１２２（ＳＤ−ＤＥＣ）は、ＳＤ形式の第２再生区間データの再生信号処理を開始させたことに応じて、先のステップＳ１１２と同様にして、映像出力制御部５に対して、自身が出力したデコード後の映像信号データについての表示（ＨＤＭＩ出力部９又はＤ端子対応出力部１０からの映像信号出力）の開始を命令する。これに応じて、映像出力制御部５では、第２区間データに対応するＳＤ形式の映像信号をＳＤ動画圧縮／伸長処理部１２２（ＳＤ−ＤＥＣ）から取り込むようにされる。これにより、以降の映像出力制御部５（ＳＤ／ＨＤ映像信号入出力処理部３７）においては、第２区間データの映像信号を出力することが可能となる。このタイミングは、図５の時点ｔ５として示した、第２区間データの再生出力開始タイミングに対応する。
ただし、このときの映像出力制御部５では、時点ｔ４以降からの非表示に対応する黒色画像を表現したＳＤ形式の映像信号の出力が継続されており、この映像信号出力は解除されていない。この映像信号出力の解除は、ここでは、フェードイン処理の命令をトリガとして行われるものとされる。
【００７８】
そこで、シーケンサは、ステップＳ１２４により、映像出力制御部５に対して、ＳＤ形式に対応したフェードアウト処理の開始を命令するようにされる。これに応じて、映像出力制御部５のＳＤ／ＨＤ映像信号入出力処理部３７では、第２区間データの画像についてのフェードイン処理を実行する。つまり、ＳＤ動画圧縮／伸長処理部１２２（ＳＤ−ＤＥＣ）から取り込んだ第２区間データの映像信号を、ＳＤ／ＨＤ映像信号入出力処理部３７にて通過させて、ＨＤＭＩ出力部９及びＤ端子対応出力部１０から出力させるのにあたって、例えばこれまでの非表示の状態に対応する輝度から、所定の単位時間あたりの増加率によって輝度を上昇させていくようにする。これにより、外部映像機器では、第２区間データの画像がフェードインして現れてくるようにして表示されることになる。このステップＳ１２４に応答してフェードイン処理を開始したタイミングは、図５における時点ｔ６に対応する。そして、図５の時点ｔ７に対応するタイミングに至ったとして、第２区間データの画像が完全に表示される状態の映像信号出力になったとされると、ステップＳ１２５として示すようにして、映像出力制御部５からシーケンサに対してフェードイン完了通知（フェードイン処理開始命令（Ｓ１２４）に対する応答）が出力される。
【００７９】
なお、ここでは図示していないが、図５の時点ｔ８に対応するタイミングに至ったとされると、例えばステップＳ１１３以降に準じた手順により、第２区間データ（ＳＤ）から第３区間データ（ＨＤ）への再生出力の切り換えと、これに伴うフェードアウト、非表示、フェードインの表示遷移（フェードシーケンス）のための制御、信号処理を実行するようにされる。
【００８０】
ところで、本実施の形態のビデオカメラ装置１としては、図２にて示したように、映像出力制御部５においてグラフィック処理部３８を備えることにより、ＤＶＤから再生した映像コンテンツなどの主画像に対して、ＯＳＤ画像を重畳して表示出力させることが可能とされている。例えばＤＶＤから再生して表示出力させる映像コンテンツに対して重畳させるＯＳＤ画像の内容としては、再生時刻や記録日時などとされる。
これまでにも説明してきているように、ＳＤ形式とＨＤ形式とではとして解像度などが全く異なるものとされている。従って、ＳＤ形式とＨＤ形式とに応じて適切な形状サイズ、表示位置によりＯＳＤ画像を重畳表示させようとすれば、ＯＳＤ画像の生成処理についても、ＳＤ形式とＨＤ形式とに対応した個別の処理を実行する必要が生じてくる。そこで、本実施の形態としては、図２においても示しているように、グラフィック処理部３８において、ＳＤ形式に対応したＳＤ対応処理部３８ａと、ＨＤ形式に対応したＨＤ対応処理部３８ｂとを有するものとされている。ＳＤ対応処理部３８ａとＨＤ対応処理部３８ｂは、例えば同一の文字内容のオンスクリーン画像を生成するのにあたっても、それぞれの形式により規定される解像度に対応させて、異なる解像度（画素数）によるオンスクリーン画像データを生成するようにされる。
このために、ＳＤ形式とＨＤ形式とで区間データが切り換わるようにして順次的に連続再生を行うのにあたって、各区間データの再生とともにＯＳＤ画像を重畳して表示出力させることとした場合には、ＯＳＤ画像生成処理について、再生出力すべき区間データの信号形式（ＳＤ／ＨＤ）に応じて、ＳＤ対応処理部３８ａと、ＨＤ対応処理部３８ｂとで切り換えを行う必要があることになる。
【００８１】
例えば、図５により示したようにしてＨＤ形式の第１区間データ、ＳＤ形式の第２区間データ、ＨＤ形式の第３区間データの順で連続再生を行うのにあたり、各区間データの再生画像ごとにＯＳＤ画像を重畳表示させている場合、区間データの形式の切り換わりに応じたＳＤ対応処理部３８ａとＨＤ対応処理部３８ｂの切り換えは、時点ｔ４に対応するＨＤ形式からＳＤ形式へのモード切換設定、及び時点ｔ１１に対応するＳＤ形式からＨＤ形式へのモード切換設定において行われるものとなる。
つまり、図６の場合であれば、ステップＳ１１６によりシーケンサからＳＤ対応デコード設定命令が出力され、これに応じて、ステップＳ１１７により、画像圧縮／伸長処理部１２０から映像出力制御部５に対して、ＳＤ対応表示設定命令を出力するようにされる。先に述べたように、このＳＤ対応表示設定命令に応答して、映像出力制御部５は、ＳＤ形式に対応した映像信号出力を実行するモードに設定を切り換えるようにされるが、この設定切り換えの１つとして、グラフィック処理部３８において、ＯＳＤ画像生成処理を実行させる部位について、ＨＤ対応処理部３８ａからＳＤ対応処理部３８ｂに切り換えるようにされる。従って、映像出力制御部５におけるモード設定のＨＤ形式対応からＳＤ形式対応への切り換わりが完了したとされる時点ｔ４において、ＯＳＤ画像生成処理としても、ＨＤ形式に対応する処理からＳＤ形式に対応する処理に切り換わるようにされる。
そのうえで、本実施の形態としては、ＨＤＭＩ出力部９又はＤ端子対応出力部１０から出力させる映像信号についてフェードシーケンスを施すのにあたり、これに重畳表示させるＯＳＤ画像の映像信号成分についても、上記のフェードアウト、非表示、フェードインの効果が与えられるようにして映像信号処理を施すようにされる。
これにより、図５に示す手順のコンテンツ再生を、ＯＳＤ画像の重畳表示をさせながら行った場合の表示の遷移としては、先ず、時点ｔ０から時点ｔ１までにおいてＯＳＤ画像が重畳表示された第１区間データの画像が通常に表示され、時点ｔ１から時点ｔ２にかけて、ＯＳＤ画像が重畳された第１区間データの画像がフェードアウトしていくようにされ、時点ｔ２から時点６までの間により、区間データ画像及びＯＳＤ画像が表示されない非表示の状態となる。そして、時点ｔ６から時点ｔ７にかけては、第２区間データの画像にＯＳＤ画像が重畳表示された画内容がフェードインして徐々にはっきりしてくるように変化し、時点ｔ７以降において、ＯＳＤ画像が重畳された第２区間データの画像が通常に表示される。時点ｔ８以降は、上記時点１〜時点ｔ７に準じて、第２区間データから第３区間データへの画像の切り換えが行われることになる。
【００８２】
例えば、映像出力制御部５の構成によっては、区間データの再生画像についてはフェードシーケンス表示が行われるのに対して、オンスクリーン画像については、フェードシーケンス表示が行われずに、通常状態の表示が維持されるようにして表示させることも可能である。しかしながら、このような表示が行われるとすると、区間データの画像についてはフェードシーケンス表示により画像の乱れが見えないようにされるのに対して、オンスクリーン画像だけがはっきりと表示されてしまうことになり、ユーザに違和感を与えることになる。かつ、このようにしてオンスクリーン画像だけがフェードすることなく表示されることで、ＳＤ形式とＨＤ形式とで設定が切り換わるタイミングでのオンスクリーン画像の表示の乱れであるとか、切り換わり前後での表示位置のずれや画像サイズの変化などが目立つことになって、この点でもユーザに違和感を与えることになる。
そこで、本実施の形態としては、オンスクリーン画像についても、区間データの再生画像に同期させてフェードシーケンス表示が行われるようにして、上記のような不都合が生じることを回避しているものである。
なお、区間データの再生画像とオンスクリーン画像とを同期させたフェードシーケンスが行われるようにするための信号処理構成としてはいくつか考えられるものであるが、その１つとして、区間データを再生して得られるとされる映像信号に対して、オンスクリーン画像の映像信号を合成させた上で、この合成された映像信号に対して本実施の形態のフェードシーケンスのための輝度変化を与えるようにすることが考えられる。
【００８３】
次に、図７を参照して、本実施の形態のフェードシーケンス表示についての他の態様例について説明する。
図７（ａ）には、図５（ａ）と同様にして、ＨＤ形式の第１区間データ→ＳＤ形式の第２区間データ→ＨＤ形式の第３区間データの順で連続して再生させる場合の出力タイミングが示されている。この場合においても、先ずは、時点ｔ０から第１区間データとしてのＨＤ形式の映像信号データの再生出力が開始され、これに応じて、図５（ｂ）の再生出力画像として示すように、
時点ｔ０から、第１区間データの画像を表示出力させる正規表示期間が開始される。
【００８４】
ここで、先に図５に示したフェードシーケンス表示の態様例では、第１区間データの再生出力終了時点（ｔ３）からフェードアウトを開始するの時点ｔ１に至るまでは、正規表示を継続させることとしていた。これに対して、この他の態様例では、フェードアウト開始タイミングである時点ｔ１に対して一定時間前となるタイミングである時点ｔ０ａにおいて、表示画像のキャプチャ処理を実行するようにされる。この時点ｔ０ａ以降においては、このキャプチャ処理によって得られたキャプチャ画像を表示させることになる。そして、時点ｔ０ａから或る時間を経過した時点ｔ１からフェードアウトが開始されることになる。つまり、他の態様例では、時点ｔ０ａのタイミングで、これまで動画として表示されていた第１区間データの画像が停止され、この停止された画像（キャプチャ画像）が静止画として表示された状態で、時点ｔ１から時点ｔ２までフェードアウトの表示が行われることになる。
【００８５】
そして、この場合においては、時点ｔ２から時点ｔ６までの非表示となる期間において、ＨＤからＳＤ形式への設定切り換えを行う時点ｔ４の前となるタイミングである時点ｔ３ａにおいて、キャプチャ画像のデータについて、これまでのＨＤからＳＤ形式に対応した形式となるように変換を行っておくようにされる。この時点ｔ０ａにてキャプチャされたキャプチャ画像は、ＨＤ形式によるものとされるが、この他の態様例では、後述するようにして、このキャプチャ画像を、フェードイン処理時においても用いるようにされる。フェードイン処理は、形式切り換え設定が行われる時点ｔ４以降の処理であり、従って、このときに表示出力させるべき映像信号はＨＤ形式ではなく、ＳＤ形式である必要がある。他の態様例では、このことに応じて、時点ｔ３ａにてキャプチャ画像のデータについて、ＨＤからＳＤへの形式変換を行っておくようにされる。これにより、例えば時点ｔ５に至って、第２区間データの再生出力が開始されたタイミングでは、例えば映像出力制御部５においては、第２区間データの映像信号と、ＳＤ形式に変換されたキャプチャ画像データとが得られていることになる。
【００８６】
そして、この他の態様例では、時点ｔ６から時点ｔ７までの期間にて行う、第２区間データの画像のフェードインの態様として、先の態様例と同様にして、非表示とされる状態から通常の状態にまで徐々に輝度を高くしていくと共に、キャプチャ画像から第２区間データの画像へとオーバーラップする状態となるようにされる。時点ｔ７以降は、第２区間データの画像の正規表示が行われる。また、時点ｔ７ａ以降においては、上記時点ｔ０ａ以降の手順に準じて、上記と同様の態様のフェードシーケンスを伴っての、第２区間データ（ＳＤ形式）から第３区間データ（ＨＤ形式）への再生出力の切り換えが行われるようにされる。
【００８７】
このような映像コンテンツの再生出力態様によっても、先の態様例の場合と同様にして、再生映像信号がＳＤ形式とＨＤ形式との間で切り換わるタイミングでは、画像非表示の状態が作り出されていることから、ユーザに画像の乱れが認識されることはない。また、フェードアウト、フェードインを伴うフェードシーケンスによる表示が行われることで、ユーザに違和感を与えない自然な切り換え表示が行われる。さらに、フェードシーケンス表示としては、画像のキャプチャが行われた状態でフェードアウトが行われ、この後のフェードインでは、キャプチャ画像から新たなコンテンツ画像（動画）にオーバーラップするようにされていることで、例えば、先の態様よりも、より効果的で面白みを増すことができるものとなっている。
【００８８】
図８は、上記図７に示した他の態様例としての映像コンテンツの再生シーケンスにおいて、第１区間データの再生開始から、第２区間データの画像の正規表示が開始されるまでのシーケンスに対応して、ビデオカメラ装置１において実行される手順例を示している。なお、この図において、先の図６と同様となる処理手順については、同じステップ番号を付している。
図８に示される手順として、先ず、ステップＳ１０１〜ステップＳ１１３までの手順としては、図６と同様となる。
そして、この場合においては、ステップＳ１１３において第１区間データの再生終了予告通知を受けたことに応答して、シーケンサは、先ず、ステップＳ１１３−１として示すように、映像出力制御部５に対して画像キャプチャ／表示命令を出力するようにされる。これに応じて、映像出力制御部５では、ＳＤ／ＨＤ映像信号入出力処理部３７におけるキャプチャ処理部３７ａにより、このときにＨＤＭＩ出力部９又はＤ端子対応出力部１０への信号出力系に入力させている第１区間データの映像信号から１フレーム分の画像データ（フレーム画像データ）を取得する。これが画像のキャプチャ処理となる。なお、キャプチャ処理部３７ａは、例えばフレームメモリと、このフレームメモリに対して、動画としての映像信号から取り出したフレーム画像のデータを書き込んで保持させるとともに、この保持されたフレーム画像データを読み出して映像信号として出力させることのできるメモリ制御部とを備えて構成することができる。
そして、このキャプチャ処理により得られた画像データを、ＨＤＭＩ出力部９又はＤ端子対応出力部１０への信号出力系に入力させて映像信号として出力させる。これにより、図７の時点ｔ０として示したように、これまで動画として表示されていた画像が静止し、この静止された画像の表示が開始されることになる。
この場合のシーケンサは、上記ステップＳ１１３−１による画像キャプチャ／表示命令の出力により画像キャプチャと、キャプチャ画像の表示開始を実行させた後に、ステップＳ１１４によるＨＤ対応のフェードアウト処理開始命令を出力するようにされる。
【００８９】
また、この場合のシーケンサは、例えばステップＳ１１５にてフェードアウト完了通知を受けると、先ず、ステップＳ１１５−１によりキャプチャ画像の形式変換を指示する命令を、映像出力制御部５に対して出力するようにされる。これに応答して、映像出力制御部５では、キャプチャ処理部３７ａにおいて、現在キャプチャ画像として保持しているＨＤ形式のフレーム画像データについて、ＳＤ形式のフレーム画像データに変換するようにされる。
【００９０】
上記ステップＳ１１５−１に続く手順として、ステップＳ１１６から、図８における最後の手順となるステップＳ１２５までは、図６と同様となる。
ただし、この場合においては、ステップＳ１２４としての、シーケンサからのＳＤ対応フェードイン処理開始命令に応答した映像出力制御部５のフェードイン処理として、画像の輝度を非表示の状態から通常にまで徐々に増加させていくとともに、キャプチャ画像から第２区間データの画像に徐々に変化していくオーバーラップ表示が行われるように画像信号処理を実行し、ＨＤＭＩ出力部９及びＤ端子対応出力部１０から映像信号を出力させることになる。
【００９１】
なお、上記図７及び図８により説明した、画像のキャプチャを伴う態様のフェードシーケンスにあっても、先に説明した手順によるＯＳＤ画像の切り換えは併用できる。つまり、この場合の態様例にあっても、例えば図８のステップＳ１１７によるＳＤ対応表示設定命令に応答しては、映像出力制御部５がＨＤ形式対応からＳＤ形式対応のモードへの切り換えを行うことで、ＯＳＤ画像生成処理の実行部位は、ＨＤ対応処理部３８ａからＳＤ対応処理部３８ｂに切り換わるようにされる。これにより、区間データの画像にＯＳＤ画像を重畳させるようにして映像信号出力を行っているときには、映像出力制御部５におけるモード切換に伴って、ＯＳＤ画像の形式も切り換わることになるからである。
【００９２】
また、本実施の形態のフェードシーケンスとしての表示態様例については、これまでに説明したものに限定されるべきではない。例えば、これまでの説明にあっては、フェードアウト、フェードインのために与えるべき基本的な変更対象のパラメータとしては映像信号の輝度とされていた。つまり、外部映像機器に出力すべき映像信号について、その輝度を低下させて表示画像を暗くしていくことでフェードアウトさせ、逆にフェードインとしては、ほぼ黒色に対応する映像信号についての輝度レベルを徐々に高くしていき、表示画像が明るくなって見えてくるようにさせていたものである。
これ以外には、例えばブルーバックなどといわれる画面全体が青色の画像などのようにして、フェードアウトとして区間データの画像を所定色の全面画像に変化させていき、所定色の全面画像を表示させる期間を非表示期間とし、次の区間データの画像が徐々に現れてくるようにしてフェードインさせるという手法を考えることができる。あるいは、所定色の画像などに代えて、何らかの模様や絵柄パターンなどによる画像をフェードアウト、フェードインに用いるようにしてもよい。
また、例えば図５〜図８により示した態様例では、区間データを順次再生するごとに、その形式がＳＤ形式とＨＤ形式とで切り換わる場合を示しているのであるが、実際に、複数の区間データを連続再生していく場合においては、ＳＤ若しくはＨＤで同じ形式の区間データが連続して再生される場合もあることになる。このようにして、連続して再生される前後の区間データが同じ形式である場合、１つには本願発明に基づいたフェードシーケンスは実行しないようにすることが考えられる。区間データの形式が同じ場合、例えば外部映像機器側で表示が乱れることはないわけであり、この点からすれば、フェードシーケンスは不要であるという考え方をとることができるからである。
しかしながら、一方で、連続して再生される前後の区間データが同じ形式であっても、形式が異なる区間データを連続再生させる場合と同様に、本願発明に基づいたフェードシーケンスを実行させることも考えられる。この場合には、次のような利点がある。
例えば、区間データを連続再生するのにあたり、形式が切り換わる場合にのみフェードシーケンスを与えることとした場合、同じ形式の区間データが連続する場合にはフェードシーケンスが行われないこととなる。すると、区間データを連続再生していく全体の流れの中でみた場合、ある区間データの切り換わりではフェードシーケンスが行われるのに、ある区間データの切り換わりでは、フェードシーケンスが行われないということになり、ユーザによっては、違和感を持つことがあると考えられる。そこで、区間データの前後の形式が異なる場合だけでなく、同じ場合にも同様にしてフェードシーケンスを行うようにすれば、結果として、連続再生される区間データの切り換わりには必ずフェードシーケンスが行われることとなって、上記のような違和感をユーザに与えるようなことはなくなる。
【００９３】
また、上記実施の形態では、映像信号形式としてＨＤとＳＤの２種に対応する場合を例に挙げているが、３種以上の映像信号形式の記録再生に対応した上で、少なくとも、再生出力する映像コンテンツの形式が切り換わる場合に、フェードシーケンスを行うようにしてもよい。つまり、本願発明でいうところの第１の形式と、第２の形式としては、それぞれが、特定の映像信号形式と１対１で対応するものではなく、第１の形式と第２の形式との間で映像信号の形式が相違するものであることを意味するものである。
【００９４】
また、実施の形態では、ビデオカメラ装置に本願発明を適用しているのであるが、例えばテレビジョン受像機やビデオレコーダなど、ビデオ信号を処理する他の装置に本願発明を適用することができる。テレビジョン受像機としては、例えばＨＤ形式とＳＤ形式とのビデオコンテンツ（番組）が混在した放送に対応するような場合において、例えばチャンネル切り換えや、同じチャンネルでの形式の切り換わりなどに応じて、本願発明に基づいたフェードシーケンスを適用することが考えられる。また、ビデオレコーダとしても、ＳＤコンテンツとＨＤコンテンツとが混在して記憶媒体に記憶されることが想定されるものであり、再生出力時において本願発明によるフェードシーケンスを適用することは有用である。
【図面の簡単な説明】
【００９５】
【図１】本願発明の実施の形態としてのビデオカメラ装置のシステム構成例を示すブロック図である。
【図２】実施の形態としてのビデオカメラ装置の構成として、主に画像処理に関連した部位についての構成例を示すブロック図である。
【図３】実施の形態のビデオカメラ装置が管理するＤＶＤのディレクトリ構成例を示す図である。
【図４】図３に示したディレクトリ構成の下での、動画ファイルについての再生制御の例を示す図である。
【図５】実施の形態のビデオカメラ装置により画像ファイルの区間データを連続再生する場合のフェードシーケンスの一態様例を示す図である。
【図６】図５に示すフェードシーケンスを実現するための、実施の形態のビデオカメラ装置における処理シーケンスを示す図である。
【図７】実施の形態のビデオカメラ装置により画像ファイルの区間データを連続再生する場合のフェードシーケンスの他の態様例を示す図である。
【図８】図７に示すフェードシーケンスを実現するための、実施の形態のビデオカメラ装置における処理シーケンスを示す図である。
【符号の説明】
【００９６】
１  ビデオカメラ装置、２  カメラ部、３  システム制御／信号処理部、４  音声入出力制御部、５  映像出力制御部、６  ＤＶＤドライブ制御部、７  メモリカードドライブ、８  ＵＳＢインターフェイス、９  ＨＤＭＩ出力部、１０  Ｄ端子対応出力部、１１  表示パネル部、１２  電子ビューファインダ、１００  システム制御部、１０１  画像アプリケーションフォーマット制御部、１０２  メディア制御部、１１１  生成がアプリケーションフォーマット制御部、１１２  ＳＤ動画アプリケーションフォーマット制御部、１１３  ＨＤ動画アプリケーションフォーマット制御部、１１４  ファイルシステム制御部、１１５  ＤＶＤ／メモリカードドライブ制御部、１２０  画像圧縮／伸長処理部、１２１  静止画圧縮／伸長処理部、１２２  ＳＤ動画圧縮／伸長処理部、１２３  ＨＤ動画圧縮／伸長処理部、１２４  時刻情報処理部、１３１  データ制御部、１３２  ドライブ制御部、１３３  ＤＶＤドライブ、１３４  映像／音声入出力インターフェイス、１３５  グラフィック表示制御部、１３６  ユーザインターフェイス制御部
【図１】
2008131568.tif 000003
【図２】
2008131568.tif 000004
【図３】
2008131568.tif 000005
【図４】
2008131568.tif 000006
【図５】
2008131568.tif 000007
【図６】
2008131568.tif 000008
【図７】
2008131568.tif 000009
【図８】
2008131568.tif 000010